(57)【特許請求の範囲】
【請求項１】
所定の観察面にグラデーションを含む可変の色分布パターンを発光により形成する発光色分布パターン形成装置であって、
所定範囲内の各位置に対して複数の方向から光が照射されるように前記光を供給する光供給部と、
前記所定範囲内において、位置変更可能及び／又は交換可能に配置される２色以上の色フィルタ部と、
前記観察面を形成する観察面形成部と、
を備え、
前記観察面の少なくとも一部には、前記光供給部から供給され前記２色以上の色フィルタ部のうちの少なくとも１色の色フィルタ部を通過した光と他の少なくとも１色の色フィルタ部を通過した光とが重なって到達することを特徴とする発光色分布パターン形成装置。
【請求項２】
複数の透光ロッド又は透光プレートと、
各々が前記透光ロッド又は透光プレートを取り外し可能に挿通状態で保持し得る多数の管の側面同士を連結してなる部材であって、全体として板状をなし各管の長さ方向が板厚方向となる保持部と、
前記保持部における前記多数の管が開口する一方側の面と相対した底面部と、
を備え、
前記光供給部は、前記保持部と前記底面部との間を挟む空間の側方において当該空間の周囲の全体に渡って又は当該周囲における相対する部分に渡って連続的又は断続的に配置された光源部であって、前記空間の内側に向けて光を発する光源部を含み、
前記色フィルタ部は、前記透光ロッド又は透光プレートにおける前記空間内への進出部分の少なくとも一部を含み、
前記観察面形成部は、前記保持部及び前記保持部に保持された前記透光ロッド又は透光プレートを含む、
ことを特徴とする請求項１記載の発光色分布パターン形成装置。
【請求項３】
前記保持部の前記多数の管は、光を透過させつつ散乱させる材料からなることを特徴とする請求項２記載の発光色分布パターン形成装置。
【請求項４】
複数の透光ロッド又は透光プレートと、
各々が前記透光ロッド又は透光プレートを取り外し可能に挿通状態で保持し得る多数の孔を有する板状の保持部と、
前記保持部と相対した底面部と、
を備え、
前記光供給部は、前記保持部と前記底面部との間を挟む空間の側方において当該空間の周囲の全体に渡って又は当該周囲における相対する部分に渡って連続的又は断続的に配置された光源部であって、前記空間の内側に向けて光を発する光源部を含み、
前記色フィルタ部は、前記透光ロッド又は透光プレートにおける前記空間内への進出部分の少なくとも一部を含み、
前記観察面形成部は、前記保持部及び前記保持部に保持された前記透光ロッド又は透光プレートを含む、
ことを特徴とする請求項１記載の発光色分布パターン形成装置。
【請求項５】
前記透光ロッド又は透光プレートの前記底面部とは反対側の端面は、光を透過させつつ散乱させる散乱透過面であることを特徴とする請求項２乃至４のいずれかに記載の発光色分布パターン形成装置。
【請求項６】
前記観察面が略平面をなし、
前記観察面と相対する底面部を備え、
前記所定範囲は、前記観察面と前記底面部とが挟む扁平空間の範囲であり、
前記光供給部は、前記扁平空間の側方において前記扁平空間の周囲の全体に渡って又は当該周囲における相対する部分に渡って連続的又は断続的に配置された光源部であって、前記扁平空間の内側に向けて光を発する光源部を含む、
ことを特徴とする請求項１記載の発光色分布パターン形成装置。
【請求項７】
前記色フィルタ部は、前記扁平空間内においてその面が前記扁平空間の側方を向くように配置される帯状の可撓性シート状部材を含むことを特徴とする請求項６記載の発光色分布パターン形成装置。
【請求項８】
前記色フィルタ部は、前記扁平空間内においてその面が前記扁平空間の側方を向くように配置される板状部材を含むことを特徴とする請求項６記載の発光色分布パターン形成装置。
【請求項９】
前記色フィルタ部は、シート状又は板状の部材を含み、
前記シート状又は板状の部材をその面が前記扁平空間の側方を向くように前記扁平空間内に保持する保持部を、備えたことを特徴とする請求項６記載の発光色分布パターン形成装置。
【請求項１０】
前記保持部は、前記シート状又は板状の部材を取り外し可能に挟持しかつ永久磁石を有するクリップ部と、前記底面部側に設けられ前記永久磁石が磁力により吸着可能な磁性部材と、を含むことを特徴とする請求項９記載の発光色分布パターン形成装置。
【請求項１１】
前記保持部は、前記扁平空間内に並設された複数の透光ブロックを含み、
前記シート状又は板状の部材は、前記複数の透光ブロック間の隙間に保持されることを特徴とする請求項９記載の発光色分布パターン形成装置。
【請求項１２】
前記複数の透光ブロックにおける前記底面部側の面と相対する面は、光を透過させつつ散乱させる散乱透過面であることを特徴とする請求項１１記載の発光色分布パターン形成装置。
【請求項１３】
前記光供給部は、前記扁平空間内において、位置変更可能及び／又は取り出し可能に配置される扁平空間内光源部を含むことを特徴とする請求項６乃至１２のいずれかに記載の発光色分布パターン形成装置。
【請求項１４】
前記扁平空間内光源部は、その面が前記扁平空間の側方を向くように配置される可撓性を有する帯状の発光シートを含むことを特徴とする請求項１３記載の発光色分布パターン形成装置。
【請求項１５】
略平面の所定の観察面にグラデーションを含む可変の色分布パターンを発光により形成する発光色分布パターン形成装置であって、
前記観察面と相対する略平面の面内において分布するように配置された複数の光源と、
前記複数の光源を前記観察面に対して覆い隠す領域内において、位置変更可能及び／又は交換可能に配置される２色以上の色フィルタ部と、
前記観察面を形成する観察面形成部と、
を備え、
前記観察面の少なくとも一部には、前記光源から発して前記２色以上の色フィルタ部のうちの少なくとも１色の色フィルタ部を通過した光と他の少なくとも１色の色フィルタ部を通過した光とが重なって到達することを特徴とする発光色分布パターン形成装置。
【請求項１６】
前記観察面が略平面をなし、
前記観察面と相対する底面部を備え、
前記光供給部は、前記観察面と前記底面部とが挟む扁平空間内において、位置変更可能及び／又は取り出し可能に配置される扁平空間内光源部を含む、
ことを特徴とする請求項１記載の発光色分布パターン形成装置。
【請求項１７】
前記観察面形成部は、（i）光を透過させつつ散乱させるシート状又は板状の散乱透過部材、（ii）網目状又は多孔状のシート状又は板状の部材、（iii）光を透過させつつ散乱させる材料からなる多数の管の側面同士を連結してなる部材であって、全体として板状をなし各管の長さ方向が板厚方向となる部材、（iv）一様でない屈折率分布を有する板状の透光部、のうちのいずれかを含むことを特徴とする請求項６乃至１６のいずれかに記載の発光色分布パターン形成装置。
【請求項１８】
前記観察面形成部は、（i）網目状又は多孔状のシート状又は板状の部材、（ii）光を透過させつつ散乱させる材料からなる多数の管の側面同士を連結してなる部材であって、全体として板状をなし各管の長さ方向が板厚方向となる部材、（iii）一様でない屈折率分布を有する板状の透光部、のうちのいずれかを含み、
前記観察面形成部の直下付近に、光を透過させつつ散乱させるシート状又は板状の散乱透過部材が設けられた、
ことを特徴とする請求項６乃至１６のいずれかに記載の発光色分布パターン形成装置。
【請求項１９】
前記色フィルタ部は、シート状又は板状の部材を含み、
前記シート状又は板状の部材をその面が前記扁平空間の側方を向くように前記扁平空間内に保持する保持部を、備え、
前記保持部は、前記扁平空間内に並設された複数の透光ブロックを含み、
前記複数の透光ブロックにおける前記底面部側の面と相対する面は、光を透過させつつ散乱させる散乱透過面であって前記観察面をなし、
前記複数の透光ブロックが前記観察面形成部を兼ねる、
ことを特徴とする請求項６記載の発光色分布パターン形成装置。
【請求項２０】
前記観察面が立体形状をなし、
前記光供給部は、前記立体形状の内部空間内に複数の方向から光が照射されるように前記光を供給することを特徴とする請求項１記載の発光色分布パターン形成装置。
【請求項２１】
前記観察面が筒形状をなし、
前記光供給部は、前記観察面の筒形状の両端側付近に配置され前記観察面の筒状の内側空間に向けて光を発する光源部を含む、
ことを特徴とする請求項１又は２０記載の発光色分布パターン形成装置。
【請求項２２】
前記色フィルタ部は、前記観察面の筒形状の内部空間内においてその面の少なくとも一部が前記筒形状の軸線方向と交差するように配置される板状部材を含むことを特徴とする請求項２１記載の発光色分布パターン形成装置。
【請求項２３】
前記観察面形成部には、前記板状部材が挿入されて前記板状部材を取り外し可能に保持するスリットが形成されたことを特徴とする請求項２２記載の発光色分布パターン形成装置。
【請求項２４】
所定の観察面にグラデーションを含む可変の色分布パターンを発光により形成する発光色分布パターン形成装置であって、
所定範囲内の各位置に対して複数の方向から複数色の色光が照射されるように前記色光を供給する光供給部と、
前記所定範囲内において、位置変更可能に配置される反射部と、
前記観察面を形成する観察面形成部と、
を備え、
前記観察面の少なくとも一部には、前記光供給部から供給され前記反射部により反射された第１の色光と、当該第１の色光とは異なる色の第２の色光であって前記光供給部から供給され前記反射部により反射されるかあるいは反射されない色光とが、重なって到達することを特徴とする発光色分布パターン形成装置。
【請求項２５】
前記光供給部は、光源部と、該光源部からの光が透過される色フィルタ部とを含むことを特徴とする請求項２４記載の発光色分布パターン形成装置。
【請求項２６】
前記色フィルタ部は、位置変更可能及び／又は交換可能に配置されることを特徴とする請求項２５記載の発光色分布パターン形成装置。
【請求項２７】
前記観察面が立体形状をなし、
前記光供給部は、前記立体形状の内部空間内に複数の方向から光が照射されるように前記光を供給することを特徴とする請求項２４乃至２６のいずれかに記載の発光色分布パターン形成装置。
【請求項２８】
前記観察面形成部は、（i）光を透過させつつ散乱させるシート状又は板状の散乱透過部材、（ii）網目状又は多孔状のシート状又は板状の部材、（iii）一様でない屈折率分布を有する板状の透光部、のうちのいずれかを含むことを特徴とする請求項２０乃至２７のいずれかに記載の発光色分布パターン形成装置。
【請求項２９】
前記観察面形成部は、（i）網目状又は多孔状のシート状又は板状の部材、（ii）一様でない屈折率分布を有する板状の透光部、のうちのいずれかを含み、
前記観察面形成部の直下付近に、光を透過させつつ散乱させるシート状又は板状の散乱透過部材が設けられた、
ことを特徴とする請求項２０乃至２８のいずれかに記載の発光色分布パターン形成装置。
【発明の詳細な説明】
【技術分野】
【０００１】
本発明は、所定の観察面にグラデーションを含む可変の色分布パターンを発光により形成する発光色分布パターン形成方法及びその装置に関するものである。
【背景技術】
【０００２】
従来から、下記特許文献１において、色の異なる絵の具を混ぜる前に予めどのような色になるのか知ることができる混色認識学習具が、提案されている。この混色認識学習具は、上面を開口した箱体と、箱体の上面開口側に設けたパレットと、箱体側面側に挿脱自在に設けた透光性を有する彩色板と、箱体一端部に設けた混色表示部でなる。前記パレットは、周囲側に絵の具、ポスターカラーなどを色彩別に配置する第１の区画凹部を設け、中央側に絵の具などを混合するための第２の区画凹部を設けたものである。透光性を有する彩色板は箱体側面に第１の区画凹部に配置した色彩に対応して配置されており、混色表示部は箱体内部に設けた照明器具と、この照明器具上方に設けた透光窓と、この透光窓に位置した彩色板挿入部によって構成されている。
【０００３】
この混色認識学習具によれば、絵の具やポスターカラーを混合するときに予め選択した彩色板を重ねて透光窓に位置させて、下方より照明を与えれば選択した彩色板の混色具合を認識することができる。
【０００４】
また、下記特許文献２において、複数の光色を利用した表示装置が提案されている。この表示装置は、不透光性材に透光性の文字や絵柄のデザインが形成され、裏面に光色が異なる複数の光源を、光色が混色するように配置したものである。光源は、光色が混色するように不透光性材裏面から離れ、かつ各光源が間隔を置いて配置されている。
【０００５】
この表示装置によれば、文字や絵柄のデザインが、異なる色光の混色によるグラデーションにより幻想的で微妙な視覚的感動が表現でき、装飾性に優れている。
【特許文献１】特開平８−１６０８５１号公報
【特許文献２】実用新案登録第３０８００８９号公報
【発明の開示】
【発明が解決しようとする課題】
【０００６】
しかしながら、前記従来の混色認識学習具では、単に、複数の彩色板を重ねて下方から照明光で照射して彩色板の混色具合を認識するだけであるので、２枚の彩色板により定まる一様な色を観察することができるのみであった。したがって、光の加法混色の過程や光色の混じり合う様子やその変化などを、体験学習することはできなかった。また、従来の混色認識学習具では、装飾性が全くなく、インテリア等で用いることは不可能であった。
【０００７】
また、前記従来の表示装置は、光の加法混色を利用してグラデーションを作り出しているものの、グラデーションは、不透光性材に形成された透光性の文字や絵柄のデザインにおいてのみ現れるにすぎず、しかも、そのグラデーションの様子を利用者が変更することは不可能であった。したがって、前記従来の表示装置は、装飾性に優れるとはいえ、その装飾的効果や空間演出効果は極めて限定的なものであるとともに、その装飾的な効果や空間演出効果を変化させたりその変化を楽しんだりすることは全く不可能であった。また、前記従来の表示装置においても、光の加法混色の過程や光色の混じり合う様子やその変化などを、体験学習することはできなかった。
【０００８】
なお、光の加法混色の過程は、絵の具等の減法混色の過程ほど認知されておらず、その想定が非常に困難であるため、光の加法混色の過程を体験学習できれば、その学習効果は著しい。
【０００９】
本発明は、このような事情に鑑みてなされたもので、所定の観察面にグラデーションを含む可変の色分布パターンを発光により形成することができ、これにより、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる、発光色分布パターン形成方法及びその装置を提供することを目的とする。
【課題を解決するための手段】
【００１０】
前記課題を解決するため、本発明の第１の態様による発光色分布パターン形成装置は、所定の観察面にグラデーションを含む可変の色分布パターンを発光により形成する発光色分布パターン形成装置であって、所定範囲内の各位置に対して複数の方向から光が照射されるように前記光を供給する光供給部と、前記所定範囲内において、位置変更可能及び／又は交換可能に配置される２色以上の色フィルタ部と、前記観察面を形成する観察面形成部と、を備え、前記観察面の少なくとも一部には、前記光供給部から供給され前記２色以上の色フィルタ部のうちの少なくとも１色の色フィルタ部を通過した光と他の少なくとも１色の色フィルタ部を通過した光とが重なって到達するものである。
【００１１】
本発明の第２の態様による発光色分布パターン形成装置は、前記第１の態様において、複数の透光ロッド又は透光プレートと、各々が前記透光ロッド又は透光プレートを取り外し可能に挿通状態で保持し得る多数の管の側面同士を連結してなる部材であって、全体として板状をなし各管の長さ方向が板厚方向となる保持部と、前記保持部における前記多数の管が開口する一方側の面と相対した底面部と、を備えたものである。そして、前記光供給部は、前記保持部と前記底面部との間を挟む空間の側方において当該空間の周囲の全体に渡って又は当該周囲における相対する部分に渡って連続的又は断続的に配置された光源部であって、前記空間の内側に向けて光を発する光源部を含む。前記色フィルタ部は、前記透光ロッド又は透光プレートにおける前記空間内への進出部分の少なくとも一部を含む。前記観察面形成部は、前記保持部及び前記保持部に保持された前記透光ロッド又は透光プレートを含む。
【００１２】
本発明の第３の態様による発光色分布パターン形成装置は、前記第２の態様において、前記保持部の前記多数の管は、光を透過させつつ散乱させる材料からなるものである。
【００１３】
本発明の第４の態様による発光色分布パターン形成装置は、前記第１の態様において、複数の透光ロッド又は透光プレートと、各々が前記透光ロッド又は透光プレートを取り外し可能に挿通状態で保持し得る多数の孔を有する板状の保持部と、前記保持部と相対した底面部と、を備えたものである。そして、前記光供給部は、前記保持部と前記底面部との間を挟む空間の側方において当該空間の周囲の全体に渡って又は当該周囲における相対する部分に渡って連続的又は断続的に配置された光源部であって、前記空間の内側に向けて光を発する光源部を含む。前記色フィルタ部は、前記透光ロッド又は透光プレートにおける前記空間内への進出部分の少なくとも一部を含む。前記観察面形成部は、前記保持部及び前記保持部に保持された前記透光ロッド又は透光プレートを含む。
【００１４】
本発明の第５の態様による発光色分布パターン形成装置は、前記第２乃至第４のいずれかの態様において、前記透光ロッドの前記底面部とは反対側の端面は、光を透過させつつ散乱させる散乱透過面であるものである。
【００１５】
本発明の第６の態様による発光色分布パターン形成装置は、前記第１の態様において、前記観察面が略平面をなし、前記観察面と相対する底面部を備え、前記光供給部は、前記観察面と前記底面部とが挟む扁平空間の側方において前記扁平空間の周囲の全体に渡って又は当該周囲における相対する部分に渡って連続的又は断続的に配置された光源部であって、前記扁平空間の内側に向けて光を発する光源部を含むものである。
【００１６】
本発明の第７の態様による発光色分布パターン形成装置は、前記第６の態様において、前記色フィルタ部は、前記扁平空間内においてその面が前記扁平空間の側方を向くように配置される帯状の可撓性シート状部材を含むものである。
【００１７】
本発明の第８の態様による発光色分布パターン形成装置は、前記第６の態様において、前記色フィルタ部は、前記扁平空間内においてその面が前記扁平空間の側方を向くように配置される板状部材を含むものである。
【００１８】
本発明の第９の態様による発光色分布パターン形成装置は、前記第６の態様において、前記色フィルタ部はシート状又は板状の部材を含み、前記シート状又は板状の部材をその面が前記扁平空間の側方を向くように前記扁平空間内に保持する保持部を備えたものである。
【００１９】
本発明の第１０の態様による発光色分布パターン形成装置は、前記第９の態様において、前記保持部は、前記シート状又は板状の部材を取り外し可能に挟持しかつ永久磁石を有するクリップ部と、前記底面部側に設けられ前記永久磁石が磁力により吸着可能な磁性部材と、を含むものである。
【００２０】
本発明の第１１の態様による発光色分布パターン形成装置は、前記第９の態様において、前記保持部は、前記扁平空間内に並設された複数の透光ブロックを含み、前記シート状又は板状の部材は、前記複数の透光ブロック間の隙間に保持されるものである。
【００２１】
本発明の第１２の態様による発光色分布パターン形成装置は、前記第１１の態様において、前記複数のブロックにおける前記底面部側の面と相対する面は、光を透過させつつ散乱させる散乱透過面であるものである。
【００２２】
本発明の第１３の態様による発光色分布パターン形成装置は、前記第６乃至第１２のいずれかの態様において、前記光供給部は、前記扁平空間内において、位置変更可能及び／又は取り出し可能に配置される扁平空間内光源部を含むものである。
【００２３】
本発明の第１４の態様による発光色分布パターン形成装置は、前記第１３の態様において、前記扁平空間内光源部は、その面が前記扁平空間の側方を向くように配置される可撓性を有する帯状の発光シートを含むものである。
【００２４】
本発明の第１５の態様による発光色分布パターン形成装置は、略平面の所定の観察面にグラデーションを含む可変の色分布パターンを発光により形成する発光色分布パターン形成装置であって、前記観察面と相対する略平面の面内において分布するように配置された複数の光源と、前記複数の光源を前記観察面に対して覆い隠す領域内において、位置変更可能及び／又は交換可能に配置される２色以上の色フィルタ部と、前記観察面を形成する観察面形成部と、を備え、前記観察面の少なくとも一部には、前記光源から発して前記２色以上の色フィルタ部のうちの少なくとも１色の色フィルタ部を通過した光と他の少なくとも１色の色フィルタ部を通過した光とが重なって到達するものである。
【００２５】
本発明の第１６の態様による発光色分布パターン形成装置は、前記第１の態様において、前記観察面が略平面をなし、前記観察面と相対する底面部を備え、前記光供給部は、前記観察面と前記底面部とが挟む扁平空間内において、位置変更可能及び／又は取り出し可能に配置される扁平空間内光源部を含むものである。
【００２６】
本発明の第１７の態様による発光色分布パターン形成装置は、前記第６乃至第１６のいずれかの態様において、前記観察面形成部は、（i）光を透過させつつ散乱させるシート状又は板状の散乱透過部材、（ii）網目状又は多孔状のシート状又は板状の部材、（iii）光を透過させつつ散乱させる材料からなる多数の管の側面同士を連結してなる部材であって、全体として板状をなし各管の長さ方向が板厚方向となる部材、（iv）一様でない屈折率分布を有する板状の透光部、のうちのいずれかを含むものである。
【００２７】
本発明の第１８の態様による発光色分布パターン形成装置は、前記第６乃至第１６のいずれかの態様において、前記観察面形成部は、（i）網目状又は多孔状のシート状又は板状の部材、（ii）光を透過させつつ散乱させる材料からなる多数の管の側面同士を連結してなる部材であって、全体として板状をなし各管の長さ方向が板厚方向となる部材、（iii）一様でない屈折率分布を有する板状の透光部、のうちのいずれかを含み、前記観察面形成部の直下付近に、光を透過させつつ散乱させるシート状又は板状の散乱透過部材が設けられたものである。
【００２８】
本発明の第１９の態様による発光色分布パターン形成装置は、前記第６の態様において、前記色フィルタ部は、シート状又は板状の部材を含み、前記シート状又は板状の部材をその面が前記扁平空間の側方を向くように前記扁平空間内に保持する保持部を、備え、前記保持部は、前記扁平空間内に並設された複数の透光ブロックを含み、前記複数の透光ブロックにおける前記底面部側の面と相対する面は、光を透過させつつ散乱させる散乱透過面であって前記観察面をなし、前記複数の透光ブロックが前記観察面形成部を兼ねるものである。
【００２９】
本発明の第２０の態様による発光色分布パターン形成装置は、前記第１の態様において、前記観察面が立体形状をなし、前記光供給部は、前記立体形状の内部空間内に複数の方向から光が照射されるように前記光を供給するものである。
【００３０】
本発明の第２１の態様による発光色分布パターン形成装置は、前記第１又は第２０の態様において、前記観察面が筒形状をなし、前記光供給部は、前記観察面の筒形状の両端側付近に配置され前記観察面の筒状の内側空間に向けて光を発する光源部を含むものである。
【００３１】
本発明の第２２の態様による発光色分布パターン形成装置は、前記第２１の態様において、前記色フィルタ部は、前記観察面の筒形状の内部空間内においてその面の少なくとも一部が前記筒形状の軸線方向と交差するように配置される板状部材を含むものである。
【００３２】
本発明の第２３の態様による発光色分布パターン形成装置は、前記第２２の態様において、前記観察面形成部には、前記板状部材が挿入されて前記板状部材を取り外し可能に保持するスリットが形成されたものである。
【００３３】
本発明の第２４の態様による発光色分布パターン形成装置は、所定の観察面にグラデーションを含む可変の色分布パターンを発光により形成する発光色分布パターン形成装置であって、所定範囲内の各位置に対して複数の方向から複数色の色光が照射されるように前記色光を供給する光供給部と、前記所定範囲内において、位置変更可能に配置される反射部と、前記観察面を形成する観察面形成部と、を備え、前記観察面の少なくとも一部には、前記光供給部から供給され前記反射部により反射された第１の色光と、当該第１の色光とは異なる色の第２の色光であって前記光供給部から供給され前記反射部により反射されるかあるいは反射されない色光とが、重なって到達するものである。
【００３４】
本発明の第２５の態様による発光色分布パターン形成装置は、前記第２４の態様において、前記光供給部は、光源部と、該光源部からの光が透過される色フィルタ部とを含むものである。
【００３５】
本発明の第２６の態様による発光色分布パターン形成装置は、前記第２５の態様において、前記色フィルタ部は、位置変更可能及び／又は交換可能に配置されるものである。
【００３６】
本発明の第２７の態様による発光色分布パターン形成装置は、前記第２４乃至第２６のいずれかの態様において、前記観察面が立体形状をなし、前記光供給部は、前記立体形状の内部空間内に複数の方向から光が照射されるように前記光を供給するものである。
【００３７】
本発明の第２８の態様による発光色分布パターン形成装置は、前記第２０乃至第２７のいずれかの態様において、前記観察面形成部は、（i）光を透過させつつ散乱させるシート状又は板状の散乱透過部材、（ii）網目状又は多孔状のシート状又は板状の部材、（iii）一様でない屈折率分布を有する板状の透光部、のうちのいずれかを含むものである。
【００３８】
本発明の第２９の態様による発光色分布パターン形成装置は、前記第２０乃至第２８のいずれかの態様において、前記観察面形成部は、（i）網目状又は多孔状のシート状又は板状の部材、（ii）一様でない屈折率分布を有する板状の透光部、のうちのいずれかを含み、前記観察面形成部の直下付近に、光を透過させつつ散乱させるシート状又は板状の散乱透過部材が設けられたものである。
【００３９】
本発明の第３０の態様による発光色分布パターン形成方法は、所定の観察面にグラデーションを含む可変の色分布パターンを発光により形成する発光色分布パターン形成方法であって、前記第１乃至第２９のいずれかの態様による発光色分布パターン形成装置を用いるものである。
【発明の効果】
【００４０】
本発明によれば、所定の観察面にグラデーションを含む可変の色分布パターンを発光により形成することができ、これにより、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる、発光色分布パターン形成方法及びその装置を提供することができる。
【発明を実施するための最良の形態】
【００４１】
以下、本発明による発光色分布パターン形成方法及びその装置について、図面を参照して説明する。
【００４２】
［第１の実施の形態］
【００４３】
図１は、本発明の第１の実施の形態による発光色分布パターン形成装置１を示す概略斜視図である。図２は、図１に示す発光色分布パターン形成装置１の、発光領域Ｒにハッチングを付して示す概略斜視図である。図３は、図１中のＡ−Ａ線に沿った断面を示す概略断面図である。ただし、図３では、色フィルタ５の図示は省略している。図４は、図１に示す発光色分布パターン形成装置１における色フィルタ５を着脱する過程を模式的に示す概略斜視図である。図５は、図１に示す発光色分布パターン形成装置１の、上蓋３を開いた状態を示す概略斜視図である。理解を容易にするため、図４及び図５において、色フィルタ５にはドットパターンを付している。後述する図においても、色フィルタには適宜ドットパターンを付す。図６は、図１に示す発光色分布パターン形成装置１の、上蓋３を省略して示す概略平面図である。
【００４４】
本実施の形態による発光色分布パターン形成装置１は、上部の大部分が開口しかつ扁平した箱型の本体２と、本体２にヒンジ部３ａにてヒンジ結合され本体２の上部枠板１３の開口部１３ａを開閉可能に閉じる上蓋３と、４本の直線状の白色蛍光灯４と、４つの色フィルタ５とを備えている。
【００４５】
本実施の形態では、本体２は、不透明の底板１１と、不透明の４枚の側板１２と、中央に開口部１３ａを有する不透明の上部枠板１３とによって、平面視で正方形状の扁平した箱型に構成されている。光を有効に利用するため、底板１１の上面は白色であることが、好ましい。同様に、側板１２の内側面及び上部枠板１３の下面も白色であることが、好ましい。
【００４６】
本実施の形態では、上蓋３は、光を透過させつつ散乱させる板状の散乱透過部材で構成され、具体的には樹脂等からなる乳白色の半透明板で構成されている。上蓋３における上部枠板１３の開口部１３ａと対応する領域Ｒが、白色蛍光灯４からの光に基づいて発光する発光領域として、上方から観察される観察面となる。したがって、本実施の形態では、上蓋３が、観察面を形成する観察面形成部となっている。なお、本発明では、観察面形成部は、例えば、光を透過させつつ散乱させるシート状の散乱透過部材、具体的には布などを用いて構成してもよい。また、本発明では、観察面形成部は、例えば、網目状又は多孔状のシート状又は板状の部材、具体的にはパンチングメタル板などを用いて構成してもよい。
【００４７】
４本の直線状の白色蛍光灯４は、本体２内において、４枚の側板１２にそれぞれ沿って配置されている。なお、図面では、蛍光灯４のソケットや配線等の図示は省略している。４本の直線状の白色蛍光灯４の上方に上部枠板１３が位置しており、白色蛍光灯４が上方から見えないようになっている。本実施の形態では、４本の直線状の白色蛍光灯４が、所定範囲（本実施の形態では、上部枠板１３の開口部１３ａを閉じた状態の上蓋３の発光領域Ｒと底板１１との間の扁平空間の範囲）内の各位置に対して複数の方向から光が照射されるように光を供給する光供給部を、構成している。本実施の形態では、各白色蛍光灯４が、前記扁平空間の周囲の略全体に渡って連続的に配置された光源部であって、前記扁平空間の内側に向けて光を発する光源部を構成している。もっとも、例えば、４本の白色蛍光灯４のうち対向する２本を取り除いてもよい。また、直線状の白色蛍光灯４の代わりに、例えば、白色ＬＥＤを断続的に配置したり、赤色ＬＥＤ、緑色ＬＥＤ及び青色ＬＥＤを順次断続的に配置したりしてもよい。
【００４８】
本実施の形態では、４つの色フィルタ５はそれぞれ、互いに色の異なる可撓性を有する帯状のシート状部材（具体的には、例えば着色セロハンなど）で構成され、前記扁平空間内においてその面が前記扁平空間の側方を向くように配置されている。色フィルタ５を前記扁平空間内に配置することで、蛍光灯４を点灯させたときに、上蓋３の発光領域Ｒの一部には、白色蛍光灯４から供給され少なくとも１色の色フィルタ５を通過した光と他の少なくとも１色の色フィルタ５を通過した光とが重なって到達することになる。
【００４９】
本実施の形態では、４つの色フィルタ５は、図４乃至図６に示すように、丸めて底板１１上に単に載置しているだけである。したがって、色フィルタ５の位置変更及び交換は自在に行うことができる。色フィルタ５の数や色などは２色以上であれば特に限定されるものではない。色や長さなどの異なる多数の色フィルタ５を用意しておき、使用者が適宜自由に選択して前記扁平空間内に配置できるようにしておくことが好ましい。本実施の形態では、４つの色フィルタ５の色はそれぞれ、例えば、赤、青、緑及び黄など、互いに異なる色とされている。もっとも、色フィルタ５の色は、２色以上であればよい。なお、本実施の形態では、色フィルタ５は位置変更及び交換の両方が可能となっているが、本発明ではその一方のみが可能となるように構成してもよい。
【００５０】
本実施の形態によれば、蛍光灯４を点灯させたときに、上蓋３の発光領域Ｒの少なくとも一部には、白色蛍光灯４から供給され少なくとも１色の色フィルタ５を通過した光と他の少なくとも１色の色フィルタ５を通過した光とが重なって到達することになる。その結果、上蓋３の発光領域Ｒに、グラデーションを含む可変の色分布パターンが発光により形成される。そして、本実施の形態では、使用者は、自在に色フィルタ５を異なる色のものに交換したり色フィルタ５の配置を変更したりすることができるので、光の加法混色により発光領域Ｒに現れるグラデーションの状況を適宜変更することができる。したがって、本実施の形態によれば、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる。
【００５１】
本実施の形態では、前述したように、色フィルタ５は底板１１上に単に載置しているだけである。しかしながら、シート状部材からなる色フィルタ５をより安定して保持するために、色フィルタ５をその面が前記扁平空間の側方を向くように前記扁平空間内に保持する保持部を設けることが、好ましい。このような保持部の例を図７及び図８に示す。
【００５２】
図７は、色フィルタ５を保持する保持部の例を示す概略斜視図である。図８は、図７中のＢ−Ｂ線に沿った断面を示す概略断面図である。本例では、前記保持部は、シート状部材からなる色フィルタ５を取り外し可能に挟持しかつ永久磁石２５ａを有するクリップ部２５と、底板１１側に設けられ永久磁石２５ａが磁力により吸着可能な磁性部材とから構成されている。本例では、底板１１自体が鉄板で構成されて前記磁性部材を構成している。もっとも、底板１１を非磁性部材で構成して、例えば、その一方の面に鉄板等を配置してもよい。本例では、クリップ部２５は、ゴム部材２５ｂとその下面に接着された永久磁石２５ａとにより、全体として半円柱状に構成されている。また、本例では、図７及び図８に示すように、磁力により底板１１に吸着させた１対のクリップ部２５で挟持することで、色フィルタ５を保持し得るようになっている。このようなクリップ部２５を用いる場合などにおいては、色フィルタ５を、剛性を有する板状部材（具体的には、例えば、色ガラス板や比較的厚いセロファンなど）で構成してもよい。
【００５３】
なお、本実施の形態による発光色分布パターン形成装置１は、水平面等に載置して使用してもよいし、本体２を壁掛け可能に構成し、壁に掛けて垂直状態で使用してもよい。
【００５４】
［第２の実施の形態］
【００５５】
図９は、本発明の第２の実施の形態による発光色分布パターン形成装置２１の、上蓋３を開いた状態を示す概略斜視図である。図１０は、図９中の１つの色フィルタ１５を展開して示す概略斜視図である。図１１は、図９中の２つの色フィルタ１５を示す概略斜視図である。図１２は、図９中の１つの色フィルタ１５を示す一部拡大斜視図である。図９において、図１乃至図６中の要素と同一又は対応する要素には同一符号を付し、その重複する説明は省略する。
【００５６】
本実施の形態による発光色分布パターン形成装置２１が前記第１の実施の形態による発光色分布パターン形成装置１と異なる所は、色フィルタ５に代えて色フィルタ１５が用いられている点のみである。
【００５７】
色フィルタ１５が色フィルタ５と異なる所は、図示のようにスリット１５ａが形成され、２つの色フィルタ１５同士又は１つの色フィルタ１５の異なる箇所同士を、スリット１５ａで噛み合わせて交差させることができるようになっている点のみである。
【００５８】
したがって、本実施の形態によっても前記第１の実施の形態と同様の利点が得られる他、色フィルタ１５の交差配置が可能であるため、前記第１の実施の形態で得られないような発光による色分布パターンを得ることができるという利点が得られる。
【００５９】
なお、本実施の形態では、色フィルタ１５が単に着色セロハン等のシート状部材で構成され、これに対してスリット１５ａが形成されているのみである。したがって、スリット１５ａの箇所では、カラーフィルタリングが行われずに光がそのまま通過してしまう。
【００６０】
このような事態を回避するためには、例えば、色フィルタ１５の代わりに、図１３及び図１４に示す色フィルタ１６を用いてもよい。図１３は、色フィルタ１６を示す一部拡大斜視図であり、図１２に対応している。図１４は、色フィルタ１６を示す一部拡大正面図である。色フィルタ１６は、無色透明の可撓性を有する基材シート１７と、着色セロハン等の可撓性を有する色シート１８とが、無色透明の接着剤（図示せず）により貼り合わされて構成されている。そして、基材シート１７には、色フィルタ１５のスリット１５ａに相当するスリット１７ａが形成されている。一方、色シート１８には、スリット１７ａに対応するスリットは形成されておらず、その代わりに、色シート１８には、スリット１７ａの３辺１７ｂ，１７ｃ，１７ｄのうちの２辺１７ｂ，１７ｃに沿って切り込みが形成されている。したがって、この色フィルタ１６によれば、色フィルタ１５と同様にスリット１７ａで噛み合わせて交差させることができるにも拘わらず、噛み合わされていないスリット１７ａはシート１８におけるスリット１７ａに対応する部分で覆われるので、そこを通過する光はカラーフィルタリングされることになる。
【００６１】
［第３の実施の形態］
【００６２】
図１５は、本発明の第３の実施の形態による発光色分布パターン形成装置３１を示す概略縦断面図であり、図３に対応している。図１５においても、図３と同様に、色フィルタ５の図示は省略している。図１６は、図１５中の板状部材３２を示す概略斜視図である。図１５において、図３中の要素と同一又は対応する要素には同一符号を付し、その重複する説明は省略する。
【００６３】
本実施の形態による発光色分布パターン形成装置３１が前記第１の実施の形態による発光色分布パターン形成装置１と異なる所は、上蓋３上（特に、上蓋３の発光領域Ｒ上）に、板状部材３２が設けられている点のみである。板状部材３２は、上蓋３上に単に載置して取り除けるようにしてもよいし、上蓋３に対して固定して取り除けないようにしてもよい。
【００６４】
板状部材３２は、光を透過させつつ散乱させる材料からなる管３２ａの側面同士を連結してなる部材であって、全体として板状をなし各管３２ａの長さ方向が板厚方向となる部材である。管３２ａとしては、例えば、ストローなどの乳白色の半透明の樹脂製の管を用いることができる。管３２ａの側面同士の連結は、例えば、透明接着剤等で接着することにより行うことができる。なお、板状部材３２の強度を向上させるため、板状部材３２の側周面に渡って補強板（図示せず）を設けてもよい。
【００６５】
本実施の形態では、板状部材３２の上面が観察面となり、板状部材３２が観察面形成部となっている。したがって、本実施の形態では、上蓋３は、観察面形成部とはなっておらず、観察面形成部の直下付近に配置された、光を透過させつつ散乱させる板状の散乱透過部材となっている。
【００６６】
本実施の形態によれば、前記第１の実施の形態と同様の利点が得られるとともに、板状部材３２による光散乱効果が加味されて、前記第１の実施の形態の場合とは異なった表情の発光色分布パターンが得られる。
【００６７】
［第４の実施の形態］
【００６８】
図１７は、本発明の第４の実施の形態による発光色分布パターン形成装置４１を示す概略断面図であり、図３に対応している。図１７においても、図３及び図１５と同様に、色フィルタ５の図示は省略している。図１７において、図１５中の要素と同一又は対応する要素には同一符号を付し、その重複する説明は省略する。
【００６９】
本実施の形態による発光色分布パターン形成装置４１が前記第３の実施の形態による発光色分布パターン形成装置３１と異なる所は、上蓋３が除去された点のみである。本実施の形態では、板状部材３２の周辺部が上部枠板１３上に単に載置されているだけであるが、板状部材３２は、例えば、図示しないヒンジ部により本体２に対してヒンジ結合してもよい。
【００７０】
本実施の形態によっても、前記第３の実施の形態と同様の利点が得られる。
【００７１】
［第５の実施の形態］
【００７２】
図１８は、本発明の第５の実施の形態による発光色分布パターン形成装置で用いられる観察面形成部５２を示す概略平面図である。図１９は、図１８中のＣ−Ｃ矢視拡大図である。
【００７３】
この観察面形成部５２は、一様でない屈折率分布を有する板状の透光部として構成されている。具体的には、本実施の形態では、この観察面形成部５２は、無色透明の上下の２枚の板５３と、それらの間に挟持された多数の無色透明のガラス玉５４と、ガラス玉が側方に抜け落ちるのを阻止する側板５５とから構成されている。なお、一様でない屈折率分布を有する板状の透光部としては、このようなガラス玉５４を用いた構成に限定されるものではなく、例えば、無色透明の樹脂成形板において半球部等の凸部を一体に形成して分布させたものなどでもよい。
【００７４】
図面には示していないが、本発明の第５の実施の形態による発光色分布パターン形成装置は、図１５に示す第３の実施の形態による発光色分布パターン形成装置３１において、板状部材３２に代えて観察面形成部５２を設けたものである。
【００７５】
本実施の形態によれば、前記第１の実施の形態と同様の利点が得られるとともに、観察面形成部５２による一様ではない屈折率分布の効果が加味されて、前記第１の実施の形態の場合とは異なった表情の発光色分布パターンが得られる。
【００７６】
なお、図１７に示す第４の実施の形態における発光色分布パターン形成装置４１において、板状部材３２に代えて観察面形成部５２を設けてもよい。
【００７７】
なお、観察面形成部５２に代えて、光を透過させつつ散乱させるシート状の散乱透過部材（例えば布など）、あるいは、網目状又は多孔状のシート又は板状の部材（例えばパンチングメタル板など）を用いて構成した観察面形成部を用いてもよい。
【００７８】
［第６の実施の形態］
【００７９】
図２０は、本発明の第６の態様による発光色分布パターン形成装置６１の、上蓋３を開いた状態を示す概略斜視図である。図２１は、図２０に示す発光色分布パターン形成装置６１の、上蓋３を省略して示す概略平面図である。図２２は、図２０に示す発光色分布パターン形成装置６１を示す概略縦断面図であり、図３に対応している。図２２においても、図３と同様に、色フィルタ５の図示は省略している。図２０乃至図２２において、図１乃至図６中の要素と同一又は対応する要素には同一符号を付し、その重複する説明は省略する。
【００８０】
本実施の形態による発光色分布パターン形成装置６１が前記第１の実施の形態による発光色分布パターン形成装置１と異なる所は、色フィルタ５をその面が前記扁平空間（上部枠板１３の開口部１３ａを閉じた状態の上蓋３の発光領域Ｒと底板１１との間の扁平空間）の側方を向くように前記扁平空間内に保持する保持部として、前記扁平空間内に複数の透光ブロック６２が並設されている点のみである。透光ブロック６２としては、例えば、アクリルブロックなどの無色透明のブロックが用いられる。本実施の形態では、透光ブロック６２の上面は磨り面等とされて散乱透過面とされ、透光ブロック６２の他の面は光を散乱しないクリアな面とされている。もっとも、透光ブロック６２の上面もクリアな面としてもよい。図２０及び図２１に示すように、色フィルタ５は、位置変更可能及び交換可能に、任意の透光ブロック６２間の隙間に保持されている。
【００８１】
本実施の形態では、透光ブロック６２は底板１１に接着剤等で固定されているが、透光ブロック６２を底板１１上に単に載置するだけとし、透光ブロック６２を取り出し可能にしてもよい。なお、本実施の形態では、透光ブロック６２は、四角柱状に構成されているが、例えば、三角柱状などに構成してもよい。
【００８２】
本実施の形態によっても、前記第１の実施の形態と同様の利点が得られる。また、本実施の形態によれば、観察される発光色分布パターンにおいて、透光ブロック６２の上面の配置パターンが反映されるので、前記第１の実施の形態の場合とは異なった表情の発光色分布パターンが得られる。
【００８３】
なお、本実施の形態において、上蓋３を取り除いてもよい。この場合、透光ブロック６２の上面が観察面となり、透光ブロック６２が観察面形成部を兼ねることになる。
【００８４】
また、本実施の形態においても、前記第３、第４及び第５の実施の形態と同様に、上蓋３上に図１６に示す板状部材３２や図１８及び図１９に示す観察面形成部５２を配置してもよいし、上蓋３の代わりに図１６に示す板状部材３２や図１８及び図１９に示す観察面形成部５２を配置してもよい。この点は、後述する第７乃至第１０の実施の形態などについても同様である。
【００８５】
［第７の実施の形態］
【００８６】
図２３は、本発明の第７の実施の形態による発光色分布パターン形成装置７１の、上蓋３を開いた状態を示す概略斜視図である。図２４は、図２３に示す発光色分布パターン形成装置７１の、上蓋３を省略して示す概略平面図である。図２５は、図２３及び図２４中の扁平空間内光源部７２を示す概略斜視図である。図２３及び図２４において、図１乃至図６中の要素と同一又は対応する要素には同一符号を付し、その重複する説明は省略する。
【００８７】
本実施の形態による発光色分布パターン形成装置７１が前記第１の実施の形態による発光色分布パターン形成装置１と異なる所は、基本的に、前記扁平空間（上部枠板１３の開口部１３ａを閉じた状態の上蓋３の発光領域Ｒと底板１１との間の扁平空間）内において、位置変更可能及び取り出し可能に配置される扁平空間内光源部７２が追加されている点のみである。ただし、色フィルタ５の配置は、図５及び図６に示す例とは異なっている。
【００８８】
光源部７２は、永久磁石板からなる底板７３及び不透明板からなる上板７４及び無色の透明板からなる筒部７５により構成された円筒状容器と、該円筒状容器内に設けられたハロゲンランプ等のランプ７６とから構成されている。なお、図面において、ランプ７６のソケットや配線等の図示は省略している。光源部７２は、その内部に電池を設け、外部からの給電が不要となるように構成してもよい。本実施の形態では、底板１１自体が鉄板で構成されおり、光源部７２の永久磁石板からなる底板７３が底板１１に吸着されることで、光源部７２を安定して配置し得るようになっている。もっとも、このような磁力による吸着構造を採用せずに、光源部７２を単に底板１１上に載置するだけでもよい。
【００８９】
本実施の形態では、一部の色フィルタ５は、輪状に構成され、取り外し自在に光源部７２の側周を覆うように配置されている。このような輪状の色フィルタ５として、互いに色の異なるものを複数用意しておくことが、好ましい。また、本実施の形態では、扁平空間内光源部７２は１つしか設けられていないが、複数設けてもよいことは、言うまでもない。
【００９０】
本実施の形態によれば、前記第１の実施の形態と同様の利点が得られる。また、本実施の形態によれば、扁平空間内光源部７２の位置なども変えることで、前記第１の実施の形態の場合に比べて、より多様な発光色分布パターンが得られる。
【００９１】
なお、本実施の形態では、扁平空間内光源部７２は位置変更及び取り出しの両方が可能となっているが、本発明ではその一方のみが可能となるように構成してもよい。
【００９２】
［第８の実施の形態］
【００９３】
図２６は、本発明の第８の実施の形態による発光色分布パターン形成装置８１の、上蓋３を開いた状態を示す概略斜視図である。図２７は、図２６に示す発光色分布パターン形成装置８１の、上蓋３を省略して示す概略平面図である。図２８は、図２６及び図２７中の扁平空間内光源部８２を示す概略斜視図である。図２６及び図２７において、図１乃至図６中の要素と同一又は対応する要素には同一符号を付し、その重複する説明は省略する。
【００９４】
本実施の形態による発光色分布パターン形成装置８１が前記第７の実施の形態による発光色分布パターン形成装置７１と異なる所は、前記扁平空間内において、扁平空間内光源部７２に代えて、位置変更可能及び取り出し可能に配置される扁平空間内光源部８２が設けられている点のみである。
【００９５】
光源部８２は、永久磁石板からなる底板８３及び不透明板からなる上板８４及び無色の透明板からなる側板８５により構成された直方体状容器と、該直方体状容器内に設けられた直線状の白色蛍光灯８６とから構成されている。なお、図面において、蛍光灯８６のソケットや配線等の図示は省略している。光源部８２は、その内部に電池を設け、外部からの給電が不要となるように構成してもよい。本実施の形態においても、底板１１自体が鉄板で構成されおり、光源部８２の永久磁石板からなる底板８３が底板１１に吸着されることで、光源部８２を安定して配置し得るようになっている。もっとも、このような磁力による吸着構造を採用せずに、光源部８２を単に底板１１上に載置するだけでもよい。
【００９６】
本実施の形態では、一部の色フィルタ５は、輪状に構成され、取り外し自在に光源部８２の側周を覆うように配置されている。このような輪状の色フィルタ５として、互いに色の異なるものを複数用意しておくことが、好ましい。
【００９７】
本実施の形態によっても、前記第７の実施の形態と同様の利点が得られる。なお、前記扁平空間内に、光源部７２，８２の両方を設けてもよい。
【００９８】
［第９の実施の形態］
【００９９】
図２９は、本発明の第９の実施の形態による発光色分布パターン形成装置９１の、上蓋３を開いた状態を示す概略斜視図である。図３０は、図２９に示す発光色分布パターン形成装置９１の、上蓋３を省略して示す概略平面図である。図２９及び図３０において、図１乃至図６中の要素と同一又は対応する要素には同一符号を付し、その重複する説明は省略する。
【０１００】
本実施の形態による発光色分布パターン形成装置９１が前記第１の実施の形態による発光色分布パターン形成装置１と異なる所は、基本的に、前記扁平空間（上部枠板１３の開口部１３ａを閉じた状態の上蓋３の発光領域Ｒと底板１１との間の扁平空間）内において、位置変更可能及び取り出し可能に配置される扁平空間内光源部９２が追加されている点のみである。ただし、色フィルタ５の配置は、図５及び図６に示す例とは異なっている。
【０１０１】
本実施の形態では、扁平空間内光源部９２は、白色光を発する可撓性を有する帯状の発光シート（例えば、ＥＬシート）で構成され、その面が前記扁平空間の側方を向くように配置されている。一部の色フィルタ５は、発光シート９２を挟むようにその両側に配置されている。なお、発光シート９２の配置に際して、必要に応じて、例えば、前述した図７及び図８に示すクリップ部２５を用いてもよい。
【０１０２】
本実施の形態によっても、前記第８の実施の形態と同様の利点が得られる。
【０１０３】
［第１０の実施の形態］
【０１０４】
図３１は、本発明の第１０の実施の形態による発光色分布パターン形成装置１０１の、上蓋１０３を開いた状態を示す概略斜視図である。図３２は、図３１に示す発光色分布パターン形成装置１０１の、色フィルタ１０５が設けられた光源部１０４を示す概略斜視図である。図３３は、図３２中のＤ−Ｄ線に沿った断面を示す概略断面図である。ただし、図３３は、１つの色フィルタ１０５に関してはそれを着脱する過程を示している。
【０１０５】
本実施の形態による発光色分布パターン形成装置１０１は、上部が開口しかつ扁平した箱型の本体１０２と、本体１０２にヒンジ部１０３ａにてヒンジ結合され本体２の上部開口を開閉可能に閉じる上蓋１０３と、複数の光源部１０４と、複数の色フィルタ１０５とを備えている。
【０１０６】
本実施の形態では、本体１０２は、不透明の底板１１１と、不透明の４枚の側板１１２とによって、平面視で四角形状の扁平した箱型に構成されている。光を有効に利用するため、底板１１１の上面は白色であることが、好ましい。同様に、側板１１２の内側面も白色であることが、好ましい。
【０１０７】
本実施の形態では、上蓋１０３は、光を透過させつつ散乱させる板状の散乱透過部材で構成され、具体的には樹脂等からなる乳白色の半透明板で構成されている。上蓋１０３の全領域が、光源部１０４からの光に基づいて発光する発光領域として、上方から観察される観察面となる。したがって、本実施の形態では、上蓋１０３が、観察面を形成する観察面形成部となっている。
【０１０８】
本実施の形態では、各光源部１０４は、断面逆Ｖ字状をなす２つの平面部１１３ａ，１１３ｂからなる無色透明の第１の部材１１３と、第１の部材１１３の断面逆Ｖ字状の開口側を閉じる底面部１１４ｃを有するとともに第１の部材１１３の２つの平面部１１３ａ，１１３ｂとの間に色フィルタ１０５を着脱自在に保持するための隙間Ｓをそれぞれ形成する保持片１１４ａ，１１４ｂを有する無色透明の第２の部材１１４と、端面板１１５と、第１及び第２の部材１１３，１１４並びに端面板１１５により構成された三角柱状容器内に設けられた直線状の白色蛍光灯１１６とから構成されている。なお、図面において、蛍光灯１１６のソケットや配線等の図示は省略している。光源部１０４は、その内部に電池を設け、外部からの給電が不要となるように構成してもよい。本実施の形態では、光源部１０４は本体１０２の底板１１１上に単に載置することで、本体１０２の上部開口を閉じた状態の上蓋１０３と底板１１１との間の扁平空間内において、位置変更可能及び取り出し可能に配置されている。複数の光源部１０４は、前記扁平空間の範囲内の各位置に対して複数の方向から光が照射されるように光を供給する光供給部を構成している。なお、例えば、光源部１０４の底面部１１４ｃの下面に永久磁石板を設け、本体１０２の底板１１１を鉄板で構成し、磁力により光源部１０４を安定して配置し得るようにしてもよい。
【０１０９】
本実施の形態では、色フィルタ１０５は、比較的厚い着色セロハンなどの剛性を有する板状部材で構成され、各光源部１０４に８枚設けられている。各色フィルタ１０５は、光源部１０４の前記隙間Ｓに挿入することで、光源部１０４に対して交換可能に設けられている。したがって、光源部１０４が前述したように位置変更可能であることから、色フィルタ１０５は前記扁平空間内において交換可能及び位置変更可能に配置されている。もっとも、色フィルタ１０５は、光源部１０４によっては支持されることなく底板１１１によって支持されるように設けてもよい。色フィルタ１０５の数や色などは２色以上であれば特に限定されるものではない。色や長さなどの異なる多数の色フィルタ１０５を用意しておき、使用者が適宜自由に選択して前記扁平空間内に配置できるようにしておくことが好ましい。
【０１１０】
本実施の形態によれば、上蓋３を閉じて各光源部１０４の蛍光灯１１６を点灯させたときに、上蓋３の少なくとも一部の領域には、白色蛍光灯１１６から供給され少なくとも１色の色フィルタ１０５を通過した光と他の少なくとも１色の色フィルタ１０５を通過した光とが重なって到達することになる。その結果、上蓋３に、グラデーションを含む可変の色分布パターンが発光により形成される。そして、本実施の形態では、使用者は、自在に色フィルタ１０５を異なる色のものに交換したり光源部１０４の配置（したがって、色フィルタ１０５の配置も）を変更することができるので、光の加法混色により上蓋３に現れるグラデーションの状況を適宜変更することができる。したがって、本実施の形態によれば、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる。
【０１１１】
さらに、本実施の形態による色フィルタ１０５の配置のみならず光源部１０４の配置も変更し得るので、より多様な発光色分布パターンが得られる。図３１に示す例では各光源部１０４が平行に配置されているが、図３４に示す例では各光源部１０４がジグザグ状をなすように配置されている。図３４は、本実施の形態による発光色分布パターン形成装置１０１の、上蓋１０３を開いた状態を示す他の概略斜視図である。
【０１１２】
もっとも、例えば、光源部１０４を本体１０２の底板１１１に対して固定しておき、光源部１０４の配置は変更することができないようにしてもよい。この場合であっても、色フィルタ１０５の交換等が可能であるので、グラデーションを含む発光色分布パターンを適宜変更することができる。この場合や本実施の形態の場合には、光源である白色蛍光灯１１６を観察面（閉じた状態の上蓋１０３の面）に対して覆い隠す領域内において、位置変更可能及び交換可能に色フィルタ１０５が配置されることになる。
【０１１３】
［第１１の実施の形態］
【０１１４】
図３５は、本発明の第１１の実施の形態による発光色分布パターン形成装置１２１の、透光ロッド１２５を配置していない状態を示す概略斜視図である。図３６は、本実施の形態による発光色分布パターン形成装置１２１の、図３５中のＥ−Ｅ線に沿った切断面から下側の部分を示す概略斜視図である。ただし、図３６では、透光ロッド１２５を着脱する過程を模式的に示している。図３７は、本実施の形態による発光色分布パターン形成装置１２１の、透光ロッド１２５を配置していない状態を示す概略横断面図である。図３８は、本実施の形態による発光色分布パターン形成装置１２１の、透光ロッド１２５を着脱する過程を示す概略横断面図である。
【０１１５】
本実施の形態による発光色分布パターン形成装置１２１は、図３５の手前側の大部分が開口しかつ扁平した本体１２２と、本体１２２の手前側の枠板１３３の開口部に設けられた板状の保持部１２３と、２本の直線状の白色蛍光灯１２４と、複数の透光ロッド１２５とを備えている。
【０１１６】
本実施の形態では、本体１２２は、不透明の底板１３１と、不透明の４枚の側板１３２と、中央に開口部を有する不透明の手前側の枠板１３３とによって、平面視で比較的細長い四角形状の扁平した箱型に構成されている。光を有効に利用するため、底板１３１の内側面は白色であることが、好ましい。同様に、側板１３２の内側面及び枠板１３３の内側面も白色であることが、好ましい。
【０１１７】
２本の直線状の白色蛍光灯１２４は、本体１２２内において、長辺側の相対する２枚の側板１３２にそれぞれ沿って底板１３１寄りの位置に配置されている。なお、図面では、蛍光灯１２４のソケットや配線等の図示は省略している。２本の直線状の白色蛍光灯１２４の前方に枠板１３３が位置しており、白色蛍光灯１２４が前方から見えないようになっている。
【０１１８】
保持部１２３は、各々が透光ロッド１２５を取り外し可能に挿通状態で保持し得る多数の管１２３ａの側面同士を連結してなる部材であって、全体として板状をなし各管１２３ａの長さ方向が板厚方向となる部材である。管１２３ａとしては、光を透過させつつ散乱させる材料で構成すると、光の利用効率が高まるとともに、当該管１２３ａに従った表情の発光色分布パターンが得られるので、好ましい。この場合、管１２３ａとして、例えば、ストローなどの乳白色の半透明の樹脂製の管を用いることができる。もっとも、管１２３ａは不透明の材料で構成してもよい。保持部１２３の外周が枠板１３３の開口部の周縁に接着され、保持部１２３の各管１２３ａの一端が枠板１３３の面よりも外側に突出した位置に配置されるとともに、保持部１２３の各管１２３ａの他端が枠板１３３の面の位置と底板１３１の位置との間の中間位置に配置されている。
【０１１９】
以上の説明からわかるように、本実施の形態では、２本の直線状の白色蛍光灯１２４が、保持部１２３と底板１３１との間の空間の側方において、当該空間の周囲における相対する部分に渡って連続的に配置された光源部を構成している。なお、本発明では、前記空間の側方において当該空間の周囲の全体に渡って連続的又は断続的に光源部を配置してもよい。また、直線状の白色蛍光灯１２４の代わりに、例えば、白色ＬＥＤを断続的に配置したり、赤色ＬＥＤ、緑色ＬＥＤ及び青色ＬＥＤを順次断続的に配置したりしてもよい。
【０１２０】
本実施の形態では、透光ロッド１２５は、例えば無色透明のロッド（例えば、アクリルロッド）の外周の全体に薄い着色セロハンが接着された構造を有し、透光ロッド１２５の全体が色フィルタ部となっている。もっとも、本発明では、透光ロッド１２５における前記空間内への進出部分の全体又は一部のみを色フィルタ部としてもよい。
【０１２１】
また、本実施の形態では、透光ロッド１２５の端面は、磨り面等とされて散乱透過面とされている。もっとも、透光ロッド１２５の端面は、光を散乱しないクリアな面としてもよい。透光ロッド１２５の数や色などは２色以上であれば特に限定されるものではない。
【０１２２】
本実施の形態では、保持部１２３及び保持部１２３に保持された透光ロッド１２５が、グラデーションを含む可変の色分布パターンが発光により形成される観察面を形成する観察面形成部となっている。
【０１２３】
本実施の形態によれば、色フィルタ部をなす複数の透光ロッド１２５を保持部１２３の所望の管１２３ａに挿通してその一端が例えば底板１３１に当接した状態にし、２本の白色蛍光灯１２４を点灯させると、透光ロッド１２５及び保持部１２３の前方側には、白色蛍光灯１２４から供給され少なくとも１色の色フィルタ部（透光ロッド１２５）を通過した光と他の少なくとも１色の色フィルタ部（透光ロッド１２５）を通過した光とが重なって到達することになる。その結果、透光ロッド１２５及び保持部１２３の前方側に、グラデーションを含む可変の色分布パターンが発光により形成される。そして、本実施の形態では、使用者は、自在に透光ロッド１２５を異なる色のものに交換したり透光ロッド１２５の配置を変更することができるので、光の加法混色により現れるグラデーションの状況を適宜変更することができる。したがって、本実施の形態によれば、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる。
【０１２４】
［第１２の実施の形態］
【０１２５】
図３９は、本発明の第１２の実施の形態による発光色分布パターン形成装置１４１の、透光ロッド１２５を配置していない状態を示す概略斜視図であり、図３５に対応している。図４０は、本実施の形態による発光色分布パターン形成装置１４１の、図３９中のＦ−Ｆ線に沿った切断面から下側の部分を示す概略斜視図であり、図３６に対応している。なお、図４０では、透光ロッド１２５を着脱する過程を模式的に示している。図４１は、本実施の形態による発光色分布パターン形成装置１４１の、透光ロッド１２５を配置していない状態を示す概略横断面図であり、図３７に対応している。図４２は、本実施の形態による発光色分布パターン形成装置１４１の、透光ロッド１２５を着脱する過程を示す概略横断面図であり、図３８に対応している。図３９乃至図４２において、図３５乃至図３８中の要素と同一又は対応する要素には同一符号を付し、その重複する説明は省略する。
【０１２６】
本実施の形態による発光色分布パターン形成装置１４１が前記第１１の実施の形態による発光色分布パターン形成装置１２１と異なる所は、保持部１２３に代えて保持部１４３が設けられている点のみである。保持部１４３は、各々が透光ロッド１２５を取り外し可能に挿通状態で保持し得る多数の孔１４３ａを有する無色透明の板で構成されている。保持部１４３を構成する板の上面は、磨り面等として散乱透過面としてもよいし、光を散乱しないクリアな面としてもよい。また、保持部１４３は、透明板に代えて不透明板で構成してもよい。さらに、保持部１４３は、透明板に代えて、樹脂等からなる乳白色の半透明板などの、光を透過させつつ散乱させる板状の散乱透過部材で構成してもよい。
【０１２７】
本実施の形態では、保持部１４３及び保持部１４３に保持された透光ロッド１２５が、グラデーションを含む可変の色分布パターンが発光により形成される観察面を形成する観察面形成部となっている。
【０１２８】
本実施の形態によっても、前記第１１の実施の形態と同様の利点が得られる。
【０１２９】
［第１３の実施の形態］
【０１３０】
図４３は、本発明の第１３の実施の形態による発光色分布パターン形成装置１５１の、透光プレート１５５を配置していない状態を示す概略斜視図であり、図３９に対応している。図４４は、本実施の形態による発光色分布パターン形成装置１５１の、図４３中のＧ−Ｇ線に沿った切断面から下側の部分を示す概略斜視図であり、図４０に対応している。なお、図４４では、透光プレート１５５を着脱する過程を模式的に示している。図４５は、本実施の形態による発光色分布パターン形成装置１５１の、透光プレート１５５を配置していない状態を示す概略横断面図であり、図４１に対応している。図４６は、本実施の形態による発光色分布パターン形成装置１５１の、透光プレート１５５を着脱する過程を示す概略横断面図であり、図４２に対応している。図４３乃至図４６において、図３９乃至図４２中の要素と同一又は対応する要素には同一符号を付し、その重複する説明は省略する。
【０１３１】
本実施の形態による発光色分布パターン形成装置１５１が前記第１２の実施の形態による発光色分布パターン形成装置１４１と異なる所は、透光ロッド１２５に代えて透光プレート１５５が設けられるとともに、これ合わせて、保持部１４３に代えて保持部１５３が設けられている点のみである。
【０１３２】
保持部１５３は、各々が透光プレート１５５を取り外し可能に挿通状態で保持し得る多数の孔１５３ａを有する無色透明の板で構成されている。保持部１５３を構成する板の上面は、磨り面等として散乱透過面としてもよいし、光を散乱しないクリアな面としてもよい。また、保持部１５３は、透明板に代えて不透明板で構成してもよい。
【０１３３】
本実施の形態では、透光プレート１５５は、例えば無色透明のプレート（例えば、アクリルプレート）の外周の全体に薄い着色セロハンが接着された構造を有し、透光プレート１５５の全体が色フィルタ部となっている。もっとも、本発明では、透光プレート１５５における、保持部１５３と底板１３１との間の空間内への進出部分の全体又は一部のみを色フィルタ部としてもよい。また、本実施の形態では、透光プレート１５５の端面は、磨り面等とされて散乱透過面とされている。もっとも、透光プレート１５５の端面は、光を散乱しないクリアな面としてもよい。透光プレート１５５の数や色などは２色以上であれば特に限定されるものではない。
【０１３４】
本実施の形態では、保持部１５３及び保持部１５３に保持された透光プレート１５５が、グラデーションを含む可変の色分布パターンが発光により形成される観察面を形成する観察面形成部となっている。
【０１３５】
本実施の形態によっても、前記第１２の実施の形態と同様の利点が得られる。
【０１３６】
なお、前記第１２の実施の形態を変形して本実施の形態を得たのと同様の変形を、前記第１１の実施の形態に適用してもよい。この場合、前記第１１の実施の形態による発光色分布パターン形成装置１２１において、透光ロッド１２５に代えて透光プレート１５５を用いるとともに、これ合わせて、保持部１２３の各管１２３ａが透光プレート１５５を取り外し可能に挿通状態で保持し得るように構成すればよい。
【０１３７】
［第１４の実施の形態］
【０１３８】
図４７は、本発明の第１４の態様による発光色分布パターン形成装置３６１を示す概略斜視図である。図４８は、図４７中のＨ部付近を示す概略斜視図である。図４９は、図４７中のＨ部付近の、色フィルタ３６４を着脱する過程を模式的に示す概略斜視図である。なお、図４８及び図４９では、上側の個別筒体３７２を想像線で示している。
【０１３９】
本実施の形態による発光色分布パターン形成装置３６１は、円筒状の本体３６２と、本体３６２内の上部及び下部に配置されたハロゲンランプ等の２個のランプ３６３と、本体３６２に形成された４つのスリットＳＬ（図４９参照）にそれぞれ取り外し可能に挿入して保持される４つの色フィルタ３６４と、を備えている。
【０１４０】
円筒状の本体３６２は、個別筒体３７１〜３７５と、それらの間を連結する連結部材３７６とから構成されている。最上部の個別筒体３７１は、上端面が閉塞され下端面が開口した不透明の筒体である。中間の個別筒体３７２〜３７４は、上端面及び下端面が開口した筒体である。最下部の個別筒体３７５は、上端面が開口するとともに下端面が閉塞された不透明の筒体である。本実施の形態では、個別筒体３７２〜３７４は、光を透過させつつ散乱させる散乱透過部材で構成され、具体的には樹脂等からなる乳白色の半透明材料で構成されている。個別筒体３７２〜３７４の外周面が全体として観察面となっており、個別筒体３７２〜３７４が観察面形成部を構成している。光を有効に利用するため、個別筒体３７１，３７５の内面は白色であることが好ましい。
【０１４１】
２個のランプ３６３はそれぞれ個別筒体３７１，３７５内に配置されており、各ランプ３６３から発した光はそれぞれ、個別筒体３７２〜３７４の外周面に到達するようになっている。本実施の形態では、２個のランプ３６３が、所定範囲（本実施の形態では、個別筒体３７２〜３７４の内部空間）内の各位置に対して複数の方向から光が照射されるように光を供給する光供給部を、構成している。なお、図４７において、ランプ３６３のソケットや配線等の図示は省略している。また、図面には示していないが、実際には、個別筒体３７１，３７５は、ランプ３６３を交換し得るように構成される。
【０１４２】
図４８及び図４９に示すように、個別筒体３７２と個別筒体３７３との間が２つの連結部材３７６を介して連結され、個別筒体３７２と個別筒体３７３との間にスリットＳＬが形成されている。色フィルタ３６４は、剛性を有する板状部材（具体的には、例えば、色ガラス板や比較的厚いセロファンなど）で構成され、スリットＳＬ内に挿入して保持され、本体３６２の筒形状の軸線方向と交差するように交換可能に配置されている。
【０１４３】
個別筒体３７１と個別筒体３７２との間、個別筒体３７３と個別筒体３７４との間、及び、個別筒体３７４と個別筒体３７５との間も、個別筒体３７２と個別筒体３７３との間と同様に、２つの連結部材で連結されることでスリットＳＬが形成されている。
【０１４４】
色フィルタ３６４の数や色などは２色以上であれば特に限定されるものではない。色の異なる多数の色フィルタ５を用意しておき、使用者が適宜自由に選択して前記スリットＳＬ内に配置できるようにしておくことが好ましい。本実施の形態では、４つの色フィルタ３６４の色はそれぞれ、例えば、赤、青、緑及び黄など、互いに異なる色とされている。
【０１４５】
本実施の形態によれば、ランプ３６３を点灯させたときに、個別筒体３７２〜３７４の外周面（観察面）の少なくとも一部には、ランプ３６３から供給され少なくとも１色の色フィルタ３６４を通過した光と他の少なくとも１色の色フィルタ３６４を通過した光とが重なって到達することになる。その結果、個別筒体３７２〜３７４の外周面に、グラデーションを含む可変の色分布パターンが発光により形成される。そして、本実施の形態では、使用者は、自在に色フィルタ３６４を異なる色のものに交換することができるので、光の加法混色により観察面に現れるグラデーションの状況を適宜変更することができる。したがって、本実施の形態によれば、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる。
【０１４６】
［第１５の実施の形態］
【０１４７】
図５０は、本発明の第１５の態様による発光色分布パターン形成装置１７１を示す概略斜視図である。図５１は、図５０に示す発光色分布パターン形成装置１７１の、上蓋１７６及びこれに吊持された反射板１７７等を取り外した状態を示す概略斜視図である。図５２は、図５０中のＪ−Ｊ線に沿った断面を示す概略断面図である。図５３は、図５１中のＫ−Ｋ線に沿った断面を示す概略断面図である。
【０１４８】
本実施の形態による発光色分布パターン形成装置１７１は、４本のアングル材１７２と、これらのアングル材１７２に固着されることでアングル材１７２の上部側の位置に四角筒体を構成する４枚のパンチングメタル板１７３と、前記四角筒体の内側四隅にパンチングメタル板１７３の上下方向の長さに渡って配置された４本の直線状の白色蛍光灯１７４と、これらの白色蛍光灯１７４をそれぞれ覆う断面Ｌ字状の４本の色フィルタ１７５と、前記四角筒体の上部開口を覆うように前記四角筒体上に載置された上蓋１７６と、上蓋１７６により吊持され前記四角筒体内に位置する４枚の短冊状の反射板１７７と、を備えている。アングル材１７２における前記四角筒体から下方に突出した部分は、前記四角筒体を支持する脚部となっている。
【０１４９】
本実施の形態では、四角筒体を構成する４枚のパンチングメタル板１７３が、四角筒状の観察面を形成する観察面形成部となっている。パンチングメタル板１７３に代えて、例えば、樹脂等からなる乳白色の半透明板などの、光を透過させつつ散乱させる板状又はシート状の散乱透過部材を設けてもよい。
【０１５０】
４本の色フィルタ１７５は、例えば比較的厚いセロファン等で構成され、アングル材１７２に形成された溝に嵌合することで、アングル材１７２に対して交換可能に設けられている。色フィルタ１７５は、図５１に示すように上蓋１７６を取り外して、上下方向にスライドさせることでアングル材１７２に対して装着及び取り外し可能となっている。もっとも、本発明では、色フィルタ１７５は、交換不能に設けてもよい。４本の色フィルタ１７５は、例えば、赤、青、緑及び黄など、互いに異なる色とされている。もっとも、色フィルタ５の色は、２色以上であればよい。本実施の形態では、４本の直線状の白色蛍光灯１７４及び４本の色フィルタ１７５が、所定範囲内（前記四角筒体内）の各位置に対して複数の方向から複数の色の色光が照射されるように色光を供給する光供給部を構成している。もっとも、このような光供給部は、白色ＬＥＤと色フィルタとの組み合わせや、あるいは所定色のＬＥＤなどで構成してもよい。
【０１５１】
本実施の形態では、各反射板１７７は、平板状に構成されその両面とも反射面となっており、例えば金属板で構成されている。もっとも、反射板１７７はこのような単純な構成に限定されるものではなく、種々の立体形状を有していてもよい。
【０１５２】
本実施の形態では、図５３に示すように、各反射板１７７は、上蓋１７６の下側に配置された当該反射板１７７と上蓋１７６の上側に配置された摘み１７８との間が、上蓋１７６に形成された孔１７６ａを挿通した連結ロッド１７９にて連結されることで、上蓋１７６によって吊持されている。したがって、本実施の形態では、各摘み１７８を回転させることで、各反射板１７７の位置（本実施の形態では、反射板１７７の向き）をそれぞれ変えることができる。なお、摘み１７８の径は孔１７６ａの径よりも大きくなっている。
【０１５３】
本実施の形態によれば、白色蛍光灯１７４を点灯させたときに、パンチングメタル板１７３のなす四角筒体の外周面（観察面）の少なくとも一部には、白色蛍光灯１７４から供給され少なくとも１色の色フィルタ１７５を通過した光と他の少なくとも１色の色フィルタ１７５を通過した光とが重なって到達することになる。その結果、前記四角筒体の外周面に、グラデーションを含む可変の色分布パターンが発光により形成される。そして、本実施の形態では、使用者は、摘み１７８を回転させて反射板１７７の向きを変えることができるので、光の加法混色により観察面に現れるグラデーションの状況を適宜変更することができる。したがって、本実施の形態によれば、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる。
【０１５４】
また、本実施の形態によれば、色フィルタ１７５も交換可能であるので、色フィルタ１７５を異なる色のものに交換することで、より多様な発光色分布パターンが得られる。
【０１５５】
［第１６の実施の形態］
【０１５６】
図５４は、本発明の第１６の態様による発光色分布パターン形成装置１８１を示す概略斜視図である。図５５は、図５４中のＬ−Ｌ線に沿った断面を示す概略断面図である。ただし、図５５では、色フィルタ１８４の図示は省略している。図５６は、図５４に示す発光色分布パターン形成装置１８１の、側板１９５，１９６を開いた状態を示す概略斜視図である。
【０１５７】
本実施の形態による発光色分布パターン形成装置１８１は、四角筒状の本体１８２と、本体１８２内の上部及び下部に配置されたハロゲンランプ等の２個のランプ１８３と、本体１８２内に位置変更及び交換可能に設けられた所定数の色フィルタ１８４と、を備えている。
【０１５８】
四角筒状の本体１８２は、上端面が閉塞され下端面が開口した不透明の上部四角筒体１９１と、下端面が閉塞され上端面が開口した不透明の下部四角筒体１９２と、上部四角筒体１９１及び下部四角筒体１９２との間に設けられ上端面及び下端面が開口した中間四角筒体をなす４枚の側板１９３〜１９６と、を有している。本実施の形態では、側板１９３〜１９６として、鉄などの永久磁石２５ａが磁力により吸着可能な鉄などの磁性材料からなるパンチングメタル板が用いられ、側板１９３〜１９６の面が全体として観察面となっており、側板１９３〜１９６が観察面形成部を構成している。光を有効に利用するため、上部四角筒体１９１及び下部四角筒体１９２の内面は白色であることが好ましい。
【０１５９】
２個のランプ１８３はそれぞれ上部四角筒体１９１及び下部四角筒体１９２内に配置されており、各ランプ１８３から発した光はそれぞれ、側板１９３〜１９６の面に到達するようになっている。本実施の形態では、２個のランプ１８３が、所定範囲（本実施の形態では、側板１９３〜１９６がなす中間四角筒体の内部空間）内の各位置に対して複数の方向から光が照射されるように光を供給する光供給部を、構成している。なお、図面において、ランプ１８３のソケットや配線等の図示は省略している。
【０１６０】
側板１９３，１９４は上部四角筒体１９１及び下部四角筒体１９２に固着されているが、側板１９５，１９６は、ヒンジ部１９５ａ，１９６ａにて側板１９３，１９４にそれぞれヒンジ結合され、図５４及び図５５に示すように閉じたり図５６に示すように開いたりすることができるようになっている。なお、本実施の形態では、ヒンジ部１９５ａ，１９６ａに設けられたバネ（図示せず）によるバネ力によって図５４及び図５５に示すように閉じた状態に保持され、当該バネ力に抗して力を加えることで図５６に示すように開くことができるようになっている。
【０１６１】
本実施の形態では、所定数の色フィルタ１８４は、可撓性を有する帯状のシート状部材（具体的には、例えば着色セロハンなど）で構成され、前述した図７及び図８に示すクリップ部２５を用いて、側板１９３〜１９６の内側面に位置変更及び交換可能に取り付けられている。色フィルタ１８４の数や色などは２色以上であれば特に限定されるものではない。色の異なる多数の色フィルタ１８４を用意しておき、使用者が適宜自由に選択して本体２内に配置できるようにしておくことが好ましい。
【０１６２】
本実施の形態によれば、ランプ１８３を点灯させたときに、側板１９３〜１９６の面（観察面）の少なくとも一部には、ランプ１８３から供給され少なくとも１色の色フィルタ１８４を通過した光と他の少なくとも１色の色フィルタ１８４を通過した光とが重なって到達することになる。その結果、側板１９３〜１９６の面に、グラデーションを含む可変の色分布パターンが発光により形成される。そして、本実施の形態では、使用者は、自在に色フィルタ１８４を異なる色のものに交換したり色フィルタ１８４の位置を変更したりすることができるので、光の加法混色により観察面に現れるグラデーションの状況を適宜変更することができる。したがって、本実施の形態によれば、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる。
【０１６３】
［第１７の実施の形態］
【０１６４】
図５７は、本発明の第１７の態様による発光色分布パターン形成装置２０１を示す概略斜視図であり、図５４に対応している。図５８は、図５７中のＭ−Ｍ線に沿った断面を示す概略断面図であり、図５５に対応している。ただし、図５５では、色フィルタ１８４の図示は省略している。図５９は、図５７に示す発光色分布パターン形成装置１８１の、側板１９５，１９６を開いた状態を示す概略斜視図であり、図５６に対応している。図５７乃至図５９において、図５４乃至図５６中の要素と同一又は対応する要素には同一符号を付し、その重複する説明は省略する。
【０１６５】
本実施の形態による発光色分布パターン形成装置２０１が前記第１６の態様による発光色分布パターン形成装置１８１と異なる所は、側板１９３のみが鉄等からなるパンチングメタル板で構成されて他の側板１９４〜１９６が光を透過させつつ散乱させる板状の散乱透過部材（具体的には、例えば、樹脂等からなる乳白色の半透明板）で構成されている点と、色フィルタ１８４が側板１９３のみにクリップ部２５により取り付けられている点と、色フィルタ１８４の幅が広く構成されている点のみである。
【０１６６】
本実施の形態によっても、前記第１６の実施の形態と同様の利点が得られる。
【０１６７】
［第１８の実施の形態］
【０１６８】
図６０は、本発明の第１８の態様による発光色分布パターン形成装置２１１を示す概略斜視図である。図６１は、図６０に示す発光色分布パターン形成装置２１１を縦に切断してほぼ半分にしたものを示す概略斜視図である。ただし、図６１では、１つの縦方向挿入用色フィルタ２２５Ｖ及び１つの横方向挿入用色フィルタ２２５Ｈに関してはそれらを着脱する過程を示している。図６２は、図６０中の上側に配置された縦方向挿入用色フィルタ２２５Ｖ及び横方向挿入用色フィルタ２２５Ｈのみを示す概略平面図である。図６１は、図６２中のＮ−Ｎ線に沿った切断面から図６１の上側の部分に相当している。図６３は、図６２中のＰ部を拡大して示す拡大図である。図６４は、図６３に示す１つの縦方向挿入用色フィルタ２２５Ｖ及び１つの横方向挿入用色フィルタ２２５Ｈを示す概略斜視図である。図６５は、図６１に現れている断面における図中右側部分を拡大して示す概略断面図である。図６６は、色フィルタ２２５Ｖ，２２５Ｈを着脱する過程を示す概略断面図であり、図６５に対応している。図６７は、図６１に現れている断面における図中左側部分を拡大して示す概略断面図である。図６８は、色フィルタ２２５Ｖ，２２５Ｈを着脱する過程を示す概略断面図であり、図６７に対応している。
【０１６９】
本実施の形態による発光色分布パターン形成装置２１１は、円柱状の本体２２２と、本体２２２内において円形の上部端面板２３２及び下部端面板２３３の端縁の全周にそれぞれ沿って配置された２本の円形状の白色蛍光灯２２３と、上部端面板２３２により吊持された４枚の反射板２２４と、２本の白色蛍光灯２２３をそれぞれ本体２２２内の空間に対して覆うように着脱可能に取り付けられた所定数の縦方向挿入用色フィルタ２２５Ｖ及び所定数の横方向挿入用色フィルタ２２５Ｈと、を備えている。なお、図面では、蛍光灯２２３のソケットや配線等の図示は省略している。また、図面には示していないが、実際には、蛍光灯２２３を交換し得るように構成される。
【０１７０】
本体２２２は、上端面及び下端面が開口した円筒部材２３１と、円形の上部端面板２３２と、円形の下部端面板２３３と、円筒部材２３１と上部端面板２３２との間を連結する断面Ｌ字状の無色透明の円環状部材２３４と、円筒部材２３１と下部端面板２３３との間を連結する断面Ｌ字状の無色透明の円環状部材２３５と、上部の蛍光灯２２３の外側を覆う断面Ｌ字状の不透明の円環状部材２３６と、下部の蛍光灯２２３の外側を覆う断面Ｌ字状の不透明の円環状部材２３７と、円環状部材２３６に固定され上部の蛍光灯２２３の内側を覆う断面Ｌ字状の無色透明の円環状部材２３８と、円環状部材２３７に固定され下部の蛍光灯２２３の内側を覆う断面Ｌ字状の無色透明の円環状部材２３９と、円周方向に断続的に設けられ円環状部材２３４，２３８間を連結する断面Ｌ字状の不透明の連結部材２４０と、円周方向に断続的に設けられ円環状部材２３５，２３９間を連結する断面Ｌ字状の不透明の連結部材２４１と、を備えている。
【０１７１】
本実施の形態では、各反射板２２４は、平板状に構成されその両面とも反射面となっており、例えば金属板で構成されている。もっとも、反射板２２４はこのような単純な構成に限定されるものではなく、種々の立体形状を有していてもよい。
【０１７２】
本実施の形態では、円筒部材２３１はパンチングメタル板で構成され、上部端面板２３２及び下部端面板２３３は光を透過させつつ散乱させる散乱透過部材（具体的には、樹脂等からなる乳白色の材料）で構成され、これらの部材２３１〜２３３の面が観察面となり、これらの部材２３１〜２３３が観察面形成部となっている。なお、例えば、円筒部材２３１も乳白色の材料で構成してもよい。また、例えば、上部端面板２３２及び下部端面板２３３を不透明とし、円筒部材２３１の面のみを観察面としてもよい。
【０１７３】
本実施の形態では、各反射板２２４は、上部端面板２３２の下側に配置された当該反射板２２４と上部端面板２３２の上側に配置された摘み２４２との間が、上部端面板２３２に形成された孔（図示せず）を挿通した連結ロッド２４３にて連結されることで、上部端面板２３２によって吊持されている。したがって、本実施の形態では、各摘み２４２を回転させることで、各反射板２２４の位置（本実施の形態では、反射板２２４の向き）をそれぞれ変えることができる。なお、摘み２４２の径は前記孔の径よりも大きくなっている。
【０１７４】
本実施の形態では、縦方向挿入用色フィルタ２２５Ｖ及び横方向挿入用色フィルタ２２５Ｈは、例えば比較的厚い着色セロハンなどの剛性を有する（可撓性を有していてもよい）板状部材で構成され、図６０乃至図６４に示す形状を有し、それぞれ切り欠き２２５ｖ，２２５ｈを有している。連結部材２４０，２４１は、切り欠き２２５ｖ，２２５ｈに相当する箇所に設けられている。縦方向挿入用色フィルタ２２５Ｖは、円環状部材２３４，２３８間の隙間ＳＶ１及び円環状部材２３５，２３９間の隙間ＳＶ２に縦方向から挿入した状態で保持され、縦方向に着脱可能となっている。横方向挿入用色フィルタ２２５Ｈは、円環状部材２３４，２３８間の隙間ＳＨ１及び円環状部材２３５，２３９間の隙間ＳＨ２に横方向から挿入した状態で保持され、横方向に着脱可能となっている。
【０１７５】
色フィルタ２２５Ｖ，２２５Ｈの数や色などは２色以上であれば特に限定されるものではない。色の異なる多数の色フィルタ２２５Ｖ，２２５Ｈを用意しておき、使用者が適宜自由に選択して本体２２２に対して配置できるようにしておくことが好ましい。
【０１７６】
本実施の形態によれば、蛍光灯２２３を点灯させたときに、円筒部材２３１、上部端面板２３２及び下部端面板２３３の面（観察面）の少なくとも一部には、蛍光灯２２３から供給され少なくとも１色の色フィルタ２２５Ｖ又は２２５Ｈを通過した光と他の少なくとも１色の色フィルタ２２５Ｖ又は２２５Ｈを通過した光とが重なって到達することになる。その結果、観察面に、グラデーションを含む可変の色分布パターンが発光により形成される。そして、本実施の形態では、使用者は、自在に色フィルタ２２５Ｖ，２２５Ｈを異なる色のものに交換することができるとともに、摘み２４２を回転させて反射板２２４の向きを変えることができるので、光の加法混色により観察面に現れるグラデーションの状況を適宜変更することができる。したがって、本実施の形態によれば、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる。
【０１７７】
なお、本実施の形態において、反射板２２４を取り除いてもよい。あるいは、本実施の形態において、色フィルタ２２５Ｖ又は２２５Ｈを交換不能に設けておいてもよい。これらの場合であっても、色フィルタ２２５Ｖ又は２２５Ｈを異なる色のものに交換するか、あるいは、反射板２２４の向きを変えることで、光の加法混色により観察面に現れるグラデーションの状況を適宜変更することができる。
【０１７８】
［第１９の実施の形態］
【０１７９】
図６９は、本発明の第１９の態様による発光色分布パターン形成装置２５１を示す概略斜視図である。図７０は、図６９に示す発光色分布パターン形成装置２５１をＲ−Ｒ線に沿った断面で切断してほぼ半分にしたものを示す概略斜視図である。ただし、図７０では、１つの上部光源用色フィルタ２５８及び２つの下部光源用色フィルタ２５９に関しては、それらを着脱する過程を示している。図７１は、図７０に現れている断面における図中上側部分を拡大して示す概略断面図であり、２つの上部光源用色フィルタ２５８が装着された状態を示している。図７２は、図７０に現れている断面における図中上側部分を拡大して示す概略断面図であり、２つの上部光源用色フィルタを着脱する過程を示している。図７３は、図７１中のＳ−Ｓ線に沿った概略断面図である。図７４は、図６９中の上部光源用色フィルタ２５８及び下部光源用色フィルタ２５９のみを示す概略平面図である。図７０は、図７４中のＴ−Ｔ線に沿った切断面から図７４の左側の部分に相当している。図７５は、図７４中のＵ部を拡大して示す拡大図である。図７６は、図７５に示す２つの下部光源用色フィルタ２５９を示す概略斜視図である。図７７は、図７０に現れている断面における図中右下側部分を拡大して示す概略断面図である。図７８は、下部光源用色フィルタ２５９を着脱する過程を示す概略断面図であり、図７７に対応している。図７９は、図７０に現れている断面における図中左下側部分を拡大して示す概略断面図である。図８０は、下部光源用色フィルタ２５９を着脱する過程を示す概略断面図であり、図７９に対応している。図８１は、図６９及び図７０中の反射板２５６の根元付近を示す概略断面図である。
【０１８０】
本実施の形態による発光色分布パターン形成装置２５１は、四角錐状の本体２５２と、本体２５２内において頂点付近に配置されたハロゲンランプ等の１個のランプ２５３と、本体２５２内において底面の４辺に沿ってそれぞれ配置された４本の直線状の蛍光灯２５４と、本体２５２内に配置された反射板２５５〜２５７と、ランプ２５３を本体２５２内の空間に対して覆う上部光源用色フィルタ２５８と、４本の蛍光灯２５４を本体２５２内の空間に対して覆う下部光源用色フィルタ２５９と、を備えている。なお、図面では、ランプ２５３及び蛍光灯２５４のソケットや配線等の図示は省略している。また、図面には示していないが、実際には、ランプ２５３及び蛍光灯２５４を交換し得るように構成される。
【０１８１】
本体２５２は、四角錐台状をなす４枚の側板２６１と、側板２６１がなす四角錐台の上部開口を閉塞するように設けられた無色透明の上部端面板２６２と、下面が開口した不透明の先端四角錐部２６３と、先端四角錐部２６３の下部開口を閉塞するように設けられた無色透明の下部端面板２６４と、底面板２６５と、底面板２６５と側板２６１との間を連結する断面Ｌ字状の無色透明の四角環状部材２６６と、下部の４本の蛍光灯２５４の外側を覆う断面Ｖ字状の不透明の四角環状部材２６７と、四角環状部材２６７に固定され下部の４本の蛍光灯２５４の内側を覆う断面Ｌ字状の無色透明の四角環状部材２６８と、周方向に断続的に設けられ四角環状部材２６６，２６８間を連結する断面Ｌ字状の不透明の連結部材２６９と、を備えている。ランプ２５３は、先端四角錐部２６３内に配置されており、ランプ２５３から発した光は、４枚の側板２６１の面に到達するようになっている。
【０１８２】
本実施の形態では、各反射板２５５〜２５７は、平板状に構成されその両面とも反射面となっており、例えば金属板で構成されている。もっとも、反射板２５５〜２５７はこのような単純な構成に限定されるものではなく、種々の立体形状を有していてもよい。
【０１８３】
本実施の形態では、４枚の側板２６１はパンチングメタル板で構成され、これらの側板２６１の面が観察面となり、これらの側板２６１が観察面形成部となっている。なお、例えば、４枚の側板２６１は、光を透過させつつ散乱させる散乱透過部材（具体的には、樹脂等からなる乳白色の材料）で構成してもよい。
【０１８４】
本実施の形態では、図６９、図７０及び図８１に示すように、底面板２６５に形成された孔２６５ａを挿通した連結ロッド２７１が反射板２５６に固定され、連結ロッド２７１に固着された基台部２７２が底面板２６５上に載置され、底面板２６５の下側に配置された摘み２７３が連結ロッド２７１に固着されている。この構造によって、反射板２５６は底面板２６５上に起立して本体２５２内に配置され、摘み２７３を回転させることで、反射板２５６の位置（本実施の形態では、反射板２５６の向き）を変えることができるようになっている。以上、反射板２５６について説明したが、反射板２５５，２５７についても同様である。
【０１８５】
本実施の形態では、上部光源用色フィルタ２５８及び２つの下部光源用色フィルタ２５９は、例えば、比較的厚い着色セロハンなどの剛性を有する板状部材で構成されている。上部光源用色フィルタ２５８は、四角形状に構成され、端面板２６２，２６４間の隙間Ｓ１内に横方向から挿入した状態で保持され、横方向に着脱可能になっている。下部光源用色フィルタ２５９は、四角形状の一部を切り欠き２５９ａとした形状に構成され、四角環状部材２６６，２６８間の隙間Ｓ２に横方向から挿入した状態で保持され横方向に着脱可能となっているとともに、四角環状部材２６６，２６８間の隙間Ｓ３に縦方向から挿入した状態で保持され縦方向に着脱可能となっている。連結部材２６９は、切り欠き２５９ａに相当する箇所に設けられている。
【０１８６】
色フィルタ２５８，２５９の数や色などは２色以上であれば特に限定されるものではない。色の異なる多数の色フィルタ２５８，２５９を用意しておき、使用者が適宜自由に選択して本体２５２に対して配置できるようにしておくことが好ましい。
【０１８７】
本実施の形態によれば、ランプ２５３及び蛍光灯２５４を点灯させたときに、４枚の側板２６１の面（観察面）の少なくとも一部には、ランプ２５３又は蛍光灯２５４から供給され少なくとも１色の色フィルタ２５８又は２５９を通過した光と他の少なくとも１色の色フィルタ２５８又は２５９を通過した光とが重なって到達することになる。その結果、観察面に、グラデーションを含む可変の色分布パターンが発光により形成される。そして、本実施の形態では、使用者は、自在に色フィルタ２５８，２５９を異なる色のものに交換することができるとともに、摘み２７３等を回転させて反射板２５５〜２５７の向きを変えることができるので、光の加法混色により観察面に現れるグラデーションの状況を適宜変更することができる。したがって、本実施の形態によれば、学習装置として、光の加法混色の過程や光色の混じり合う様子やその変化などを体験学習したり、装飾装置又は空間演出装置として、装飾的効果や空間演出効果を高めることができるとともにその装飾的な効果や空間演出効果を変化させて楽しんだりすることができる。
【０１８８】
なお、本実施の形態において、反射板２５５〜２５７を取り除いてもよい。あるいは、本実施の形態において、色フィルタ２５８，２５９を交換不能に設けておいてもよい。これらの場合であっても、色フィルタ２５８，２５９を異なるものに交換するか、あるいは、反射板２５５〜２５７の向きを変えることで、光の加法混色により観察面に現れるグラデーションの状況を適宜変更することができる。
【０１８９】
以上、本発明の各実施の形態について説明したが、本発明はこれらの実施の形態に限定されるものではない。
【図面の簡単な説明】
【０１９０】
【図１】本発明の第１の実施の形態による発光色分布パターン形成装置を示す概略斜視図である。
【図２】図１に示す発光色分布パターン形成装置の、発光領域にハッチングを付して示す概略斜視図である。
【図３】図１中のＡ−Ａ線に沿った断面を示す概略断面図である。
【図４】図１に示す発光色分布パターン形成装置における色フィルタを着脱する過程を模式的に示す概略斜視図である。
【図５】図１に示す発光色分布パターン形成装置の、上蓋を開いた状態を示す概略斜視図である。
【図６】図１に示す発光色分布パターン形成装置の、上蓋を省略して示す概略平面図である。
【図７】色フィルタを保持する保持部の例を示す概略斜視図である。
【図８】図７中のＢ−Ｂ線に沿った断面を示す概略断面図である。
【図９】本発明の第２の実施の形態による発光色分布パターン形成装置の、上蓋を開いた状態を示す概略斜視図である。
【図１０】図９中の１つの色フィルタを展開して示す概略斜視図である。
【図１１】図９中の２つの色フィルタを示す概略斜視図である。
【図１２】図９中の１つの色フィルタを示す一部拡大斜視図である。
【図１３】他の色フィルタを示す一部拡大斜視図である。
【図１４】図１３に示す色フィルタを示す一部拡大正面図である。
【図１５】本発明の第３の実施の形態による発光色分布パターン形成装置を示す概略縦断面図である。
【図１６】図１５中の板状部材を示す概略斜視図である。
【図１７】本発明の第４の実施の形態による発光色分布パターン形成装置を示す概略断面図である。
【図１８】本発明の第５の実施の形態による発光色分布パターン形成装置で用いられる観察面形成部を示す概略平面図である。
【図１９】図１８中のＣ−Ｃ矢視拡大図である。
【図２０】本発明の第６の態様による発光色分布パターン形成装置の、上蓋を開いた状態を示す概略斜視図である。
【図２１】図２０に示す発光色分布パターン形成装置の、上蓋を省略して示す概略平面図である。
【図２２】図２０に示す発光色分布パターン形成装置を示す概略縦断面図である。
【図２３】本発明の第７の実施の形態による発光色分布パターン形成装置の、上蓋を開いた状態を示す概略斜視図である。
【図２４】図２３に示す発光色分布パターン形成装置の、上蓋を省略して示す概略平面図である。
【図２５】図２３及び図２４中の扁平空間内光源部を示す概略斜視図である。
【図２６】本発明の第８の実施の形態による発光色分布パターン形成装置の、上蓋を開いた状態を示す概略斜視図である。
【図２７】図２６に示す発光色分布パターン形成装置の、上蓋を省略して示す概略平面図である。
【図２８】図２６及び図２７中の扁平空間内光源部を示す概略斜視図である。
【図２９】本発明の第９の実施の形態による発光色分布パターン形成装置の、上蓋を開いた状態を示す概略斜視図である。
【図３０】図２９に示す発光色分布パターン形成装置の、上蓋を省略して示す概略平面図である。
【図３１】本発明の第１０の実施の形態による発光色分布パターン形成装置の、上蓋を開いた状態を示す概略斜視図である。
【図３２】図３１に示す発光色分布パターン形成装置の、色フィルタが設けられた光源部を示す概略斜視図である。
【図３３】図３２中のＤ−Ｄ線に沿った断面を示す概略断面図である。
【図３４】本発明の第１０の実施の形態による発光色分布パターン形成装置の、上蓋を開いた状態を示す他の概略斜視図である。
【図３５】本発明の第１１の実施の形態による発光色分布パターン形成装置の、透光ロッドを配置していない状態を示す概略斜視図である。
【図３６】図３５中のＥ−Ｅ線に沿った切断面から下側の部分を示す概略斜視図である。
【図３７】本発明の第１１の実施の形態による発光色分布パターン形成装置の、透光ロッドを配置していない状態を示す概略横断面図である。
【図３８】本発明の第１１の実施の形態による発光色分布パターン形成装置の、透光ロッドを着脱する過程を示す概略横断面図である。
【図３９】本発明の第１２の実施の形態による発光色分布パターン形成装置の、透光ロッドを配置していない状態を示す概略斜視図である。
【図４０】図３９中のＦ−Ｆ線に沿った切断面から下側の部分を示す概略斜視図である。
【図４１】本発明の第１２の実施の形態による発光色分布パターン形成装置の、透光ロッドを配置していない状態を示す概略横断面図である。
【図４２】本発明の第１２の実施の形態による発光色分布パターン形成装置の、透光ロッドを着脱する過程を示す概略横断面図である。
【図４３】本発明の第１３の実施の形態による発光色分布パターン形成装置の、透光プレートを配置していない状態を示す概略斜視図である。
【図４４】図４３中のＧ−Ｇ線に沿った切断面から下側の部分を示す概略斜視図である。
【図４５】本発明の第１３の実施の形態による発光色分布パターン形成装置の、透光プレートを配置していない状態を示す概略横断面図である。
【図４６】本発明の第１３の実施の形態による発光色分布パターン形成装置の、透光プレートを着脱する過程を示す概略横断面図である。
【図４７】本発明の第１４の態様による発光色分布パターン形成装置を示す概略斜視図である。
【図４８】図４７中のＨ部付近を示す概略斜視図である。
【図４９】図４７中のＨ部付近の、色フィルタを着脱する過程を模式的に示す概略斜視図である。
【図５０】本発明の第１５の態様による発光色分布パターン形成装置を示す概略斜視図である。
【図５１】図５０に示す発光色分布パターン形成装置の、上蓋及びこれに吊持された反射板等を取り外した状態を示す概略斜視図である。
【図５２】図５０中のＪ−Ｊ線に沿った断面を示す概略断面図である。
【図５３】図５１中のＫ−Ｋ線に沿った断面を示す概略断面図である。
【図５４】本発明の第１６の態様による発光色分布パターン形成装置を示す概略斜視図である。
【図５５】図５４中のＬ−Ｌ線に沿った断面を示す概略断面図である。
【図５６】図５４に示す発光色分布パターン形成装置の、側板を開いた状態を示す概略斜視図である。
【図５７】本発明の第１７の態様による発光色分布パターン形成装置を示す概略斜視図である。
【図５８】図５７中のＭ−Ｍ線に沿った断面を示す概略断面図である。
【図５９】図５７に示す発光色分布パターン形成装置の、側板を開いた状態を示す概略斜視図である。
【図６０】本発明の第１８の態様による発光色分布パターン形成装置を示す概略斜視図である。
【図６１】図６０に示す発光色分布パターン形成装置を縦に切断してほぼ半分にしたものを示す概略斜視図である。
【図６２】図６０中の上側に配置された縦方向挿入用色フィルタ及び横方向挿入用色フィルタのみを示す概略平面図である。
【図６３】図６２中のＰ部を拡大して示す拡大図である。
【図６４】図６３中のＱ矢視図である。
【図６５】図６１に現れている断面における図中右側部分を拡大して示す概略断面図である。
【図６６】図６５に対応する概略断面図であって、色フィルタを着脱する過程を示す概略断面図である。
【図６７】図６１に現れている断面における図中左側部分を拡大して示す概略断面図である。
【図６８】図６７に対応する概略断面図であって、色フィルタを着脱する過程を示す概略断面図である。
【図６９】本発明の第１９の態様による発光色分布パターン形成装置を示す概略斜視図である。
【図７０】図６９に示す発光色分布パターン形成装置をＲ−Ｒ線に沿った断面で切断してほぼ半分にしたものを示す概略斜視図である。
【図７１】図７０に現れている断面における図中上側部分を拡大して示す概略断面図であって、２つの上部光源用色フィルタが装着された状態を示す概略断面図である。
【図７２】図７０に現れている断面における図中上側部分を拡大して示す概略断面図であって、２つの上部光源用色フィルタを着脱する過程を示す概略断面図である。
【図７３】図７１中のＳ−Ｓ線に沿った概略断面図である。
【図７４】図６９中の上部光源用色フィルタ及び下部光源用色フィルタのみを示す概略平面図である。
【図７５】図７４中のＵ部を拡大して示す拡大図である。
【図７６】図７５に示す２つの下部光源用色フィルタを示す概略斜視図である。
【図７７】図７０に現れている断面における図中右下側部分を拡大して示す概略断面図である。
【図７８】図７７に対応する概略断面図であって、下部光源用色フィルタを着脱する過程を示す概略断面図である。
【図７９】図７０に現れている断面における図中左下側部分を拡大して示す概略断面図である。
【図８０】図７９に対応する概略断面図であって、下部光源用色フィルタを着脱する過程を示す概略断面図である。
【図８１】図６９及び図７０中の反射板の根元付近を示す概略断面図である。
【符号の説明】
【０１９１】
１  発光色分布パターン形成装置
２  本体
３  上蓋
４  蛍光灯
５  色フィルタ
【図１】
0005154173.tif 000002
【図２】
0005154173.tif 000003
【図３】
0005154173.tif 000004
【図４】
0005154173.tif 000005
【図５】
0005154173.tif 000006
【図６】
0005154173.tif 000007
【図７】
0005154173.tif 000008
【図８】
0005154173.tif 000009
【図９】
0005154173.tif 000010
【図１０】
0005154173.tif 000011
【図１１】
0005154173.tif 000012
【図１２】
0005154173.tif 000013
【図１３】
0005154173.tif 000014
【図１４】
0005154173.tif 000015
【図１５】
0005154173.tif 000016
【図１６】
0005154173.tif 000017
【図１７】
0005154173.tif 000018
【図１８】
0005154173.tif 000019
【図１９】
0005154173.tif 000020
【図２０】
0005154173.tif 000021
【図２１】
0005154173.tif 000022
【図２２】
0005154173.tif 000023
【図２３】
0005154173.tif 000024
【図２４】
0005154173.tif 000025
【図２５】
0005154173.tif 000026
【図２６】
0005154173.tif 000027
【図２７】
0005154173.tif 000028
【図２８】
0005154173.tif 000029
【図２９】
0005154173.tif 000030
【図３０】
0005154173.tif 000031
【図３１】
0005154173.tif 000032
【図３２】
0005154173.tif 000033
【図３３】
0005154173.tif 000034
【図３４】
0005154173.tif 000035
【図３５】
0005154173.tif 000036
【図３６】
0005154173.tif 000037
【図３７】
0005154173.tif 000038
【図３８】
0005154173.tif 000039
【図３９】
0005154173.tif 000040
【図４０】
0005154173.tif 000041
【図４１】
0005154173.tif 000042
【図４２】
0005154173.tif 000043
【図４３】
0005154173.tif 000044
【図４４】
0005154173.tif 000045
【図４５】
0005154173.tif 000046
【図４６】
0005154173.tif 000047
【図４７】
0005154173.tif 000048
【図４８】
0005154173.tif 000049
【図４９】
0005154173.tif 000050
【図５０】
0005154173.tif 000051
【図５１】
0005154173.tif 000052
【図５２】
0005154173.tif 000053
【図５３】
0005154173.tif 000054
【図５４】
0005154173.tif 000055
【図５５】
0005154173.tif 000056
【図５６】
0005154173.tif 000057
【図５７】
0005154173.tif 000058
【図５８】
0005154173.tif 000059
【図５９】
0005154173.tif 000060
【図６０】
0005154173.tif 000061
【図６１】
0005154173.tif 000062
【図６２】
0005154173.tif 000063
【図６３】
0005154173.tif 000064
【図６４】
0005154173.tif 000065
【図６５】
0005154173.tif 000066
【図６６】
0005154173.tif 000067
【図６７】
0005154173.tif 000068
【図６８】
0005154173.tif 000069
【図６９】
0005154173.tif 000070
【図７０】
0005154173.tif 000071
【図７１】
0005154173.tif 000072
【図７２】
0005154173.tif 000073
【図７３】
0005154173.tif 000074
【図７４】
0005154173.tif 000075
【図７５】
0005154173.tif 000076
【図７６】
0005154173.tif 000077
【図７７】
0005154173.tif 000078
【図７８】
0005154173.tif 000079
【図７９】
0005154173.tif 000080
【図８０】
0005154173.tif 000081
【図８１】
0005154173.tif 000082